(57)【要約】第１の基板、第２の基板、第１、第２の基板間に封入される液晶層、第１の基板上に設けた表示電極および前記第２の基板上に設けた対向電極を備え、表示電極と対向電極の重なり部を画素部とする液晶表示パネルにおいて、画素部をマトリックス状に配列した動画表示領域と、画素部を固定絵文字状に構成した絵文字表示領域と、動画表示領域の各画素部と画素部の駆動回路間に挿入され、かつ動画表示領域外周部に配置される、静電気保護用の第１の保護素子と、絵文字表示領域の各画素部と画素部の駆動回路間に挿入され、かつ絵文字表示領域外周部に配置される、静電気保護用の第２の保護素子と、を備える。
2003087924.tif 000002
【特許請求の範囲】
【請求項１】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部を固定絵文字状に構成した絵文字表示領域、
前記動画表示領域の各画素部と該画素部の駆動回路間に挿入され、かつ前記動画表示領域外周部に配置される、静電気保護用の第１の保護素子、および
前記絵文字表示領域の各画素部と該画素部の駆動回路間に挿入され、かつ前記絵文字表示領域外周部に配置される、静電気保護用の第２の保護素子、
を備えることを特徴とする、液晶表示パネル。
【請求項２】
前記第１および第２の保護素子は、前記静電気により抵抗値を可変して前記画素部およびその配線部の少なくとも一方に発生する静電気を低減するものであり、さらに
前記第１の保護素子は第１の共通電極によって相互に接続され、前記第２の保護素子は第２の共通電極によって相互に接続されることを特徴とする、請求の範囲第１項に記載の液晶表示パネル。
【請求項３】
前記第１の共通電極と前記第２の共通電極は同一の共通電極によって構成されることを特徴とする、請求の範囲第２項に記載の液晶表示パネル。
【請求項４】
前記絵文字表示領域は、固定絵文字の形状を有する絵文字表示電極と、該絵文字表示電極と平面的に所定のギャップを設けて近接する絵文字表示周囲電極とを有し、
前記絵文字表示電極と絵文字表示周囲電極とにより、前記絵文字表示領域はほぼ全面に均一の濃淡表示を可能とし、
さらに、該絵文字表示電極と絵文字表示周囲電極とは、絵文字表示領域外において、第２の保護素子を介して相互に接続されていることを特徴とする、請求の範囲第１項に記載の液晶表示パネル。
【請求項５】
前記画素部がマトリックス状に配列する動画表示領域は、各画素に接続される第１のスイッチング素子を有し、前記絵文字表示領域は、前記各絵文字表示電極が前記第１のスイッチング素子を介することなく前記第２の保護素子を介して前記駆動回路に接続されていることを特徴とする、請求の範囲第４項に記載の液晶表示パネル。
【請求項６】
前記第１および第２の保護素子は、少なくとも２個の第２のスイッチング素子をリング状に接続し、かつ、少なくとも１個の前記第２のスイッチング素子を直列に接続して構成されていることを特徴とする、請求の範囲第１項に記載の液晶表示パネル。
【請求項７】
前記第２のスイッチング素子は、アモルファスシリコン膜、またはポリシリコン膜からなる薄膜トランジスタであることを特徴とする、請求の範囲第６項に記載の液晶表示パネル。
【請求項８】
前記第２の基板上に設けた対向電極は、前記動画表示領域と前記絵文字表示領域でそれぞれ独立して設けられていることを特徴とする、請求の範囲第１項に記載の液晶表示パネル。
【請求項９】
前記動画表示領域の各画素部に接続される前記第１の保護素子は前記動画表示領域に対向して設けられた対向電極に接続され、前記絵文字表示領域の各画素部に接続される前記第２の保護素子は、前記絵文字表示領域に対向して設けられた対向電極に接続されていることを特徴とする、請求の範囲第８項に記載の液晶表示パネル。
【請求項１０】
前記第２の基板上にカラーフィルタを設け、
さらに前記表示電極は、反射電極または半透過反射電極のいずれかであることを特徴とする、請求の範囲第１項に記載の液晶表示パネル。
【請求項１１】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域および前記画素部を固定絵文字状に構成した絵文字表示領域を備え、前記絵文字表示領域を構成する複数の絵文字表示電極は個々の絵文字表示配線電極によって絵文字表示領域外に配線され、前記個々の絵文字表示配線電極は絵文字表示領域において互いに平行に配列されていることを特徴とする、液晶表示パネル。
【請求項１２】
前記絵文字表示領域にはさらに、前記絵文字表示電極と平面的に所定の絵文字周囲ギャップを設けて近接する絵文字表示周囲電極が形成され、前記絵文字表示配線電極は、前記絵文字周囲ギャップ上でそれ以外の領域よりも狭い電極幅を有することを特徴とする、請求の範囲第１１項に記載の液晶表示パネル。
【請求項１３】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部を固定絵文字状に構成した絵文字表示領域、および
前記動画表示領域と前記絵文字表示領域間に設けた両領域を区分する仕切り線、を備えることを特徴とする、液晶表示パネル。
【請求項１４】
前記絵文字表示領域は該領域に設けられた絵文字表示電極を前記絵文字表示領域外に配線する絵文字表示配線電極を有し、該絵文字表示配線電極は、前記仕切り線が形成される領域に配置されることを特徴とする、請求の範囲第１３項に記載の液晶表示パネル。
【請求項１５】
前記仕切り線は、前記第１の基板上に形成する第１の仕切り配線と、前記第２の基板上に液晶層を挟んで形成する第２の仕切り配線とで構成されることを特徴とする、請求の範囲第１３項に記載の液晶表示パネル。
【請求項１６】
前記仕切り線は、少なくとも２色のカラーフィルタを重ね合わせた領域およびブラックマトリックス領域の少なくとも一方を有することを特徴とする、請求の範囲第１３項に記載の液晶表示パネル。
【請求項１７】
前記仕切り線は、前記動画表示領域または、前記絵文字表示領域の少なくとも一方より反射率が低い領域であることを特徴とする、請求の範囲第１３項に記載の液晶表示パネル。
【請求項１８】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部を固定絵文字状に構成した絵文字表示領域を備え、
前記絵文字表示領域を構成する絵文字表示電極は絵文字表示配線電極を介して前記絵文字表示領域外に設けた第３のスイッチング素子と接続されていることを特徴とする、液晶表示パネル。
【請求項１９】
前記第３のスイッチング素子は、前記絵文字表示領域と前記第１、第２の基板を封止するシール部との間に設けることを特徴とする、請求の範囲第１８項に記載の液晶表示パネル。
【請求項２０】
前記第３のスイッチング素子に対して、前記絵文字表示領域側と絵文字表示領域の反対側の２箇所に、静電気に対する第２の保護素子を設けたことを特徴とする、請求の範囲第１８項に記載の液晶表示パネル。
【請求項２１】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部を固定絵文字状に構成した絵文字表示領域、
前記動画表示領域に配置され、かつ前記動画表示領域の各画素に接続される第１のスイッチング素子、
前記絵文字表示領域に配置され、かつ前記動画表示領域に配置された前記第１のスイッチング素子による前記動画表示領域の液晶層の厚さと前記絵文字表示領域の液晶層の厚さとの不均一性を緩和するための凸部、
を備えることを特徴とする、液晶表示パネル。
【請求項２２】
前記絵文字表示領域に配置された前記凸部は、前記動画表示領域に配置された前記第１のスイッチング素子の一部分により構成されていることを特徴とする、請求の範囲第２１項に記載の液晶表示パネル。
【請求項２３】
前記絵文字表示領域に配置された前記凸部の高さは、前記動画表示領域に配置された前記第１のスイッチング素子の高さのおおよそ１／２以上で同じ高さ以下の範囲の高さであることを特徴とする、請求の範囲第２１項に記載の液晶表示パネル。
【請求項２４】
前記絵文字表示領域に配置された前記凸部の高さは、前記動画表示領域に配置された前記第１のスイッチング素子の高さと同じであることを特徴とする、請求の範囲第２１項に記載の液晶表示パネル。
【請求項２５】
前記絵文字表示領域に配置された前記凸部の面積は、前記動画表示領域に配置された前記第１のスイッチング素子の面積とおおよそ同じであることを特徴とする、請求の範囲第２１項に記載の液晶表示パネル。
【請求項２６】
前記絵文字表示領域に配置された前記凸部の分布は、前記動画表示領域に配置された前記第１のスイッチング素子の分布とおおよそ同じであることを特徴とする、請求の範囲第２５項に記載の液晶表示パネル。
【請求項２７】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部を固定絵文字状に構成した絵文字表示領域、
前記動画表示領域に配置され、かつ前記動画表示領域の各画素に接続される第１のスイッチング素子、
前記動画表示領域ではマトリックス状に配列された各画素を囲むパターンをなし、かつ前記絵文字表示領域では前記動画表示領域と同じパターンをなす遮光性のブラックマトリックス、
を備えることを特徴とする、液晶表示パネル。
【請求項２８】
前記絵文字表示領域は、固定絵文字の形状を有する絵文字表示電極と、該絵文字表示電極と平面的に所定のギャップを設けて近接する絵文字表示周囲電極とを有し、
前記絵文字表示領域のブラックマトリックスは、前記絵文字表示電極と前記絵文字表示周囲電極との間の前記ギャップにおいて切り欠かれていることを特徴とする、請求の範囲第２７項に記載の液晶表示パネル。
【請求項２９】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部をマトリックス状に配列された複数の個別表示電極を固定絵文字状に配置し、かつ２以上の個別表示電極を連結部を介して電気的に接続した絵文字表示領域、
前記動画表示領域に配置され、かつ前記動画表示領域の各画素に接続される第１のスイッチング素子、
を備えることを特徴とする、液晶表示パネル。
【請求項３０】
第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、
前記画素部をマトリックス状に配列した動画表示領域、
前記画素部をマトリックス状に配列された形状が異なる複数の個別表示電極により固定絵文字状に構成し、かつ個々の前記個別表示電極を個々の絵文字表示配線電極を介して個別に駆動回路に接続した絵文字表示領域、
前記動画表示領域に配置され、かつ前記動画表示領域の各画素に接続される第１のスイッチング素子、
を備えることを特徴とする、液晶表示パネル。
【発明の詳細な説明】
技術分野
本発明は、液晶表示パネルに関し、特に、表示領域に、画素部がマトリックス状に配列された動画表示領域と、固定絵文字を表示する絵文字表示領域の両者を設けた液晶表示パネルに関する。
背景技術
現在、液晶表示パネルは、軽量、低消費電力、反射型で表示が可能であるため、携帯情報機器に広く利用されている。表示内容が多岐に渡るため、マトリックス型の液晶表示パネルが主流である。特に、表示品質の面から画素毎にスイッチング素子を形成したアクティブマトリックス型液晶表示パネルの開発が進んでいる。
たとえば、アクティブマトリックス型液晶表示パネルは、第１の基板上に、ｘ方向に配置された複数のゲート電極と、ｙ方向に配置された複数のソース電極と、その交点に配置された複数の薄膜トランジスタ（ＴＦＴ）素子を有している。これら薄膜トランジスタ（ＴＦＴ）のドレイン電極には表示電極が接続される。さらに、薄膜トランジスタ（ＴＦＴ）が設けられた第１の基板と対向する第２の基板上に対向電極を設け、第１の基板と第２の基板の間隙に液晶を封入する。
このようにして形成されたアクティブマトリックス型液晶表示パネルにおいて、ゲート電極にオン電圧を印加しかつソース電極にデータ信号を印加することにより、表示電極と対向電極間に所定の電圧差を設け、液晶に所定の電圧を印加してオン表示を行う。
逆に、ゲート電極にオフ電圧を印加して薄膜トランジスタ（スイッチング素子）をオフ状態とすることにより、ソース電極にデータ信号を印加しても、表示電極と対向電極間に電圧差が発生しなくなる。これによって、オン表示またはオフ表示を維持することが可能となる。したがって、ゲート電極に印加するオン、オフ信号と、ソース電極に印加するデータ信号を時間的に切り換えることにより、動画表示を行うことが可能となる。
さらに、マトリックスを構成する画素の組み合わせにより、種々の表示が可能となる。たとえば、８×８のドット構成でアルファベットあるいは数字、１６×１６のドット構成で漢字表示が可能となる。しかしながら、ドット表示では、たとえば、円あるいは星、人の形状を高い精度で表示することは難しく、たとえば円は多角形となり、星は鋭角が再現できない等の問題が発生する。そのため、小さい画素で複雑な表現を行う場合には、表示電極を絵文字の外周形状に構成した絵文字表示を利用する手法が採用されている。
表示領域に、アクティブマトリックス型の動画表示領域とスタティク型の絵文字表示領域を採用する液晶表示パネルとして、たとえば、特開２００１−１８３９９８号公報、特開２００１−１１７０７２号公報に開示の技術がある。
また、アクティブマトリックス型液晶表示パネルでは、製造工程中、あるいは液晶表示パネルと外部回路との接続実装中の静電気により、トランジスタ等のスイッチング素子の破損、液晶の劣化が起こり易く、その結果、表示品質が低下する。このような静電気による表示品質の低下を防止するために、従来のアクティブマトリックス型液晶表示パネルでは、たとえば、特開平１１−１１９２５６号公報に開示されているように、各スイッチング素子に保護素子を設けている。
前記特開２００１−１８３９９８号公報に記載の表示装置では、動画表示領域に、スイッチング素子として薄膜トランジスタ（ＴＦＴ）を有する構成を採用し、絵文字表示領域に、配線電極に直接絵文字表示電極が接続するスタティク型の構成を採用している。また、特開２００１−１１７０７２号公報には、動画表示領域の対向電極と絵文字表示領域の対向電極をそれぞれ独立に設け、相互に最適なオフセット電圧を供給する技術が開示されている。また、特開平１１−１１９２５６号公報には、動画表示領域の周囲に保護素子を設ける構成が記載されている。
以上の様に、従来のアクティブマトリックス型液晶表示パネルでは、動画表示領域と共に絵文字表示領域を設けること、さらに動画表示領域において静電気対策を行うことは提案されているが、一方で、絵文字表示領域に発生する静電気に対しては何ら対策がとられていない。ところが、実際に絵文字表示領域を形成するにあたっては、絵文字用の電極と、絵文字の周囲に絵文字周囲電極とを設ける場合があり、この場合は絵文字用の電極と絵文字表示周囲電極とが近接する。したがって、絵文字表示領域に静電気に対する何らの対策をとらない従来の液晶表示パネルでは、絵文字周囲ギャップの静電気による劣化、液晶の静電気による劣化、焼付等が発生し、高品質の表示を得られない問題点がある。
また、別の問題点として、絵文字表示電極に外部からの信号を印加するための配線電極を絵文字表示領域に設けると、この配線電極が外部から見えてしまい、表示の邪魔をして結果的に表示品質を低下させることが挙げられる。またさらに、動画表示領域と絵文字表示領域とにおいて同時に表示する際、どこからどこまでが動画表示領域で、どこが絵文字表示領域なのかが不明確になり、表示を誤認識することがある。
さらに、低消費電力化のために、動画表示領域は表示を行わず、絵文字表示領域のみ表示を行う場合があるが、従来の液晶表示パネルでは、絵文字表示領域が明確でないため表示内容を見誤ることがある。さらに、低消費電力化のために、絵文字表示領域のみを表示する、または、駆動周波数を低減する場合、液晶のみで駆動を保持しようとすると、表示むら、焼付等が発生し、高品質の表示が得られない。
以上の様に、動画表示領域と絵文字表示領域とを備えた従来の液晶表示パネルでは、両表示領域ともに高い表示品質を得ること、および低消費電力駆動で特に絵文字表示領域において品質の高い表示を行うことは困難であった。本発明は、かかる点に関してなされたものであり、動画表示領域と絵文字表示領域の両者で高い表示品質を有し、また低消費電力駆動であっても絵文字表示領域の表示品質が低下することのない、新規な液晶表示パネルを提供することを目的とする。
発明の開示
上記の目的を解決するために本発明は、以下の構成を有する液晶表示パネルを採用する。
本発明の第１の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部を固定絵文字状に構成した絵文字表示領域、前記動画表示領域の各画素部と該画素部の駆動回路間に挿入され、かつ前記動画表示領域外周部に配置される、静電気保護用の第１の保護素子、および前記絵文字表示領域の各画素部と該画素部の駆動回路間に挿入され、かつ前記絵文字表示領域外周部に配置される、静電気保護用の第２の保護素子を有している。
前記第１および第２の保護素子は、前記静電気により抵抗値を可変して前記画素部およびその配線部の少なくとも一方に発生する静電気を低減するものであり、さらに前記第１の保護素子は第１の共通電極によって相互に接続され、前記第２の保護素子は第２の共通電極によって相互に接続されている。
また、前記第１の共通電極と前記第２の共通電極は同一の共通電極によって構成されている。
また、前記絵文字表示領域は、固定絵文字の形状を有する絵文字表示電極と、該絵文字表示電極と平面的に所定のギャップを設けて近接する絵文字表示周囲電極とを有し、前記絵文字表示電極と絵文字表示周囲電極とにより、前記絵文字表示領域はほぼ全面に均一の濃淡表示を可能とし、さらに、該絵文字表示電極と絵文字表示周囲電極とは、絵文字表示領域外において、第２の保護素子を介して相互に接続されている。
また、前記画素部がマトリックス状に配列する動画表示領域は、各画素に接続される第１のスイッチング素子を有し、前記絵文字表示領域は、前記各絵文字表示電極が前記第１のスイッチング素子を介することなく前記第２の保護素子を介して前記駆動回路に接続されている。
また、前記第１および第２の保護素子は、少なくとも２個の第２のスイッチング素子をリング状に接続し、かつ、少なくとも１個の前記第２のスイッチング素子を直列に接続して構成されている。
また、前記第２のスイッチング素子は、アモルファスシリコン膜、またはポリシリコン膜からなる薄膜トランジスタである。
また、前記第２の基板上に設けた対向電極は、前記動画表示領域と前記絵文字表示領域でそれぞれ独立して設けられている。
また、前記動画表示領域の各画素部に接続される前記第１の保護素子は前記動画表示領域に対向して設けられた対向電極に接続され、前記絵文字表示領域の各画素部に接続される前記第２の保護素子は、前記絵文字表示領域に対向して設けられた対向電極に接続されている。
また、前記第２の基板上にカラーフィルタを設け、さらに前記表示電極は、反射電極または半透過反射電極のいずれかである。
本発明の第２の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域および前記画素部を固定絵文字状に構成した絵文字表示領域を備え、前記絵文字表示領域を構成する複数の絵文字表示電極は個々の絵文字表示配線電極によって絵文字表示領域外に配線され、前記個々の絵文字表示配線電極は絵文字表示領域において互いに平行に配列されている。
前記絵文字表示領域にはさらに、前記絵文字表示電極と平面的に所定の絵文字周囲ギャップを設けて近接する絵文字表示周囲電極が形成され、前記絵文字表示配線電極は、前記絵文字周囲ギャップ上でそれ以外の領域よりも狭い電極幅を有する。
本発明の第３の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部を固定絵文字状に構成した絵文字表示領域、および前記動画表示領域と前記絵文字表示領域間に設けた両領域を区分する仕切り線、を備える。
前記絵文字表示領域は、該領域に設けられた絵文字表示電極を前記絵文字表示領域外に配線する絵文字表示配線電極を有し、該絵文字表示配線電極は、前記仕切り線が形成される領域に配置されている。
また、前記仕切り線は、前記第１の基板上に形成する第１の仕切り配線と、前記第２の基板上に液晶層を挟んで形成する第２の仕切り配線とで構成されている。
また、前記仕切り線は、少なくとも２色のカラーフィルタを重ね合わせた領域およびブラックマトリックス領域の少なくとも一方を有している。
また、前記仕切り線は、前記動画表示領域または、前記絵文字表示領域の少なくとも一方より反射率が低い領域である。
また、前記絵文字表示領域に設けられた絵文字表示電極と前記第１の基板間には、スイッチング素子を構成する部材からなる凸部が設けられ、該凸部は前記絵文字表示電極および前記絵文字表示配線電極のいずれとも電気的に接続されていない。
本発明の第４の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部を固定絵文字状に構成した絵文字表示領域を備え、前記絵文字表示領域を構成する絵文字表示電極は絵文字表示配線電極を介して前記絵文字表示領域外に設けた第３のスイッチング素子と接続されている。
前記第３のスイッチング素子は、前記絵文字表示領域と前記第１、第２の基板を封止するシール部との間に設けられている。
また、前記第３のスイッチング素子に対して、前記絵文字表示領域側と絵文字表示領域の反対側の２箇所に、静電気に対する第２の保護素子を設けている。
本発明の第５の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部を固定絵文字状に構成した絵文字表示領域、前記動画表示領域に配置され、かつ前記動画表示領域の各画素に接続される第１のスイッチング素子、前記絵文字表示領域に配置され、かつ前記動画表示領域に配置された前記第１のスイッチング素子による前記動画表示領域の液晶層の厚さと前記絵文字表示領域の液晶層の厚さとの不均一性を緩和するための凸部、を備えている。
前記絵文字表示領域に配置された前記凸部は、前記動画表示領域に配置された前記第１のスイッチング素子の一部分により構成されている。
前記絵文字表示領域に配置された前記凸部の高さは、前記動画表示領域に配置された前記第１のスイッチング素子の高さのおおよそ１／２以上で同じ高さ以下の範囲の高さである。
前記絵文字表示領域に配置された前記凸部の高さは、前記動画表示領域に配置された前記第１のスイッチング素子の高さと同じである。
前記絵文字表示領域に配置された前記凸部の面積は、前記動画表示領域に配置された前記第１のスイッチング素子の面積とおおよそ同じである。
前記絵文字表示領域に配置された前記凸部の分布は、前記動画表示領域に配置された前記第１のスイッチング素子の分布とおおよそ同じである。
本発明の第６の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部を固定絵文字状に構成した絵文字表示領域、前記動画表示領域に配置され、かつ前記動画表示領域の各画素に接続される第１のスイッチング素子、前記動画表示領域ではマトリックス状に配列された各画素を囲むパターンをなし、かつ前記絵文字表示領域では前記動画表示領域と同じパターンをなす遮光性のブラックマトリックス、を備えている。
前記絵文字表示領域は、固定絵文字の形状を有する絵文字表示電極と、該絵文字表示電極と平面的に所定のギャップを設けて近接する絵文字表示周囲電極とを有し、前記絵文字表示領域のブラックマトリックスは、前記絵文字表示電極と前記絵文字表示周囲電極との間の前記ギャップにおいて切り欠かれている。
本発明の第７の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部をマトリックス状に配列された複数の個別表示電極により固定絵文字状に構成し、かつ２以上の個別表示電極を連結部を介して電気的に接続した絵文字表示領域、前記動画表示領域に配置され、かつ前記動画表示領域の各画素に接続される第１のスイッチング素子、を備えている。
本発明の第８の液晶表示パネルは、第１の基板、第２の基板、前記第１、第２の基板間に封入される液晶層、前記第１の基板上に設けた表示電極および前記第２の基板上に設けた対向電極を備え、前記表示電極と前記対向電極の重なり部を画素部とする液晶表示パネルにおいて、前記画素部をマトリックス状に配列した動画表示領域、前記画素部をマトリックス状に配列された形状が異なる複数の個別表示電極により固定絵文字状に構成し、かつ個々の前記個別表示電極を個々の絵文字表示配線電極を介して個別に駆動回路に接続した絵文字表示領域、前記動画表示領域に配置され、かつ前記動画表示領域の各画素に接続される第１のスイッチング素子、を備えている。
（作用）
液晶表示パネルの表示領域が、画素部をマトリックス状に配列する動画表示領域と、固定絵文字を表示する絵文字表示領域の両表示領域を有し、動画表示領域と絵文字表示領域の外周部には、画素部あるいは、画素部に接続する配線部にて発生する静電気を低減するための保護素子を設けることにより、保護素子が接続する共通電極に電荷を分散することが可能となり、局所的に大きな電圧発生、あるいは電流が流れることを防止できる。そのため、液晶の劣化、配線の破損防止が可能となり、特に、動画表示領域と絵文字表示領域の表示品質に差が発生することを防止することが可能となる。
また、保護素子は、電圧により大きな抵抗変化が可能なスイッチング素子を採用することにより、通常表示の際には、保護素子を介して共通電極に流れる電流を最小限にすることが可能となり、消費電流を低減できる。大きな静電気が発生した場合には、保護素子は低抵抗となるため、瞬間的に静電気を共通電極に電荷分散を達成できるため、有効である。
特に、動画表示領域を構成する画素部毎にスイッチング素子を配置するアクティブマトリックス方式を採用する場合には、動画表示領域の外周部に保護素子を設けることは、スイッチング素子の劣化、破損を防止するために非常に有効であった。本発明に示すように、絵文字表示領域においても、動画表示領域と同時に発生する静電気を動画表示領域は保護素子により瞬間的に電荷分散し、絵文字表示領域も動画表示領域と同等に、保護素子により瞬間的に電荷の分散ができるため、両表示領域に表示品質差を発生することがなくなる。
動画表示領域の外周部に設ける動画表示用保護素子と絵文字表示領域の外周部に設ける絵文字表示用保護素子の流せる許容電流量を変えることにより、絵文字表示領域の液晶の劣化、焼付、低消電荷を達成することが可能となる。特に、絵文字表示用保護素子は、動画表示用保護素子より高抵抗であることが、絵文字表示領域のみを動作し、低消費電力を達成する液晶表示パネルに対しては特に、有効である。
また、動画表示領域に設ける保護素子が接続する共通電極と絵文字表示領域に設ける保護素子が接続する共通電極を接続しても効果はあるが、独自に設けると相互の影響がないため、さらに有効である。絵文字表示領域を構成する絵文字表示電極が配線電極を介して直接保護素子に接続される場合には、瞬間的に大きな電流を保護素子を介して共通電極に流す必要があるため、個別の共通電極とすることがよい。
また、動画表示領域を構成する画素部毎にスイッチング素子として、薄膜トランジスタ（ＴＦＴ）を採用する場合には、保護素子は、薄膜トランジスタ（ＴＦＴ）のゲート電極とソース電極、あるいはゲート電極とドレイン電極とを接続して薄膜トランジスタ（ＴＦＴ）をダイオードとして利用し、さらに、このダイオードをリング接続することにより両極性の電圧に対して対称で大きな非線形抵抗を達成できるため有効である。
また、保護素子は、アモルファスシリコンあるいはポリシリコン膜を半導体層とする薄膜トランジスタ（ＴＦＴ）を利用することにより、良好な非線形抵抗性を達成できる。
また、動画表示領域と絵文字表示領域との境界には、仕切り線を設ける。仕切り線は、ブラックマトリックスあるいは、反射防止層とブラックマトリックスを積層する構成、あるいはカラーフィルタを複数積層して反射率と透過率を両表示領域より低減する構成を採用することにより、常時、動画表示領域と絵文字表示領域を明確に識別することが可能となる。
さらに、ブラックマトリックスあるいは、カラーフィルタを複数積層する領域に絵文字表示配線電極を設けることで、絵文字を遮るあるいは、絵文字の周囲に絵文字と干渉する配線が認識されないため、絵文字を忠実に表示できる。
さらに、仕切り線を、液晶を介して対向する第１の仕切り配線と第２の仕切り配線からなる仕切り画素部を構成することにより、点滅表示、あるいは絵文字との反転表示を行うことが可能となる。さらに、第１の仕切り線と第２の仕切り線からなる仕切り画素部を複数設け、各仕切り画素部に異なる色のカラーフィルタを設けることにより、たとえば、黒、赤、青、緑、白、マゼンダ等の色彩豊かな仕切り線を呈示することが可能となる。
また、仕切り線は、動画表示電極と絵文字表示電極とが、反射電極あるいは半透過反射電極である場合には、反射電極あるいは半透過反射電極を削除し、反射率を他の部分より低減することで認識が可能となる。反射率を低減し、さらに、カラーフィルタを積層することで、非常に暗い仕切り線を達成できる。あるいは、仕切り線は、反射表示では、暗表示、透過表示では、明表示と反転表示も可能となる。
また、絵文字の周囲に絵文字表示周囲電極を設けることにより、絵文字を黒、周囲電極を白、逆に、絵文字を白、周囲電極を黒、あるいは、絵文字と周囲電極も同一とすることにより、絵文字の視認性を向上することが可能となる。絵文字表示電極に接続する絵文字表示配線電極を周囲電極の下層に絶縁膜を介して配線する、あるいは、他の絵文字表示配線電極を絵文字表示電極の下層に絶縁膜を介して配置することにより、絵文字表示配線電極を設ける領域の低減と、絵文字表示配線電極の絵文字への影響を防止することが可能となる。
さらに、他の絵文字表示配線電極を絵文字表示電極の下層に絶縁膜を介して設ける場合には、絵文字表示配線電極と絵文字表示周囲電極との間の絵文字周囲ギャップでは、絵文字表示配線電極を細線化することにより、絶縁膜により、液晶の光学的変化を防止するとともに、細線化により液晶の光学的変化を認識しにくくできる。
動画表示領域において、スイッチング素子による凸部が発生する場合に、絵文字表示領域には、スイッチング素子の構成部材からなる凸部を設ける。これにより、第１の基板と第２の基板との間隙を動画表示領域と絵文字表示領域とで均一にすることが可能となる。
また、絵文字表示領域の周囲に絵文字表示配線電極に接続する表示領域外スイッチング素子を設ける。絵文字表示電極と外部回路との間にスイッチング素子を設けることで、外部回路と絵文字表示電極とを低抵抗接続と高抵抗接続を制御することが可能となる。すなわち、低消電荷を行う場合に、絵文字表示領域のみを点灯し、さらに、絵文字表示領域の交流化駆動サイクルを低周波化しても、外部回路の抵抗に依存することなく、スイッチング素子により高抵抗化できるため、絵文字表示電極と絵文字表示対向電極との間の液晶容量に蓄積された電荷を保持することが可能、すなわち、表示を維持することが可能となる。
また、表示領域外スイッチング素子は、絵文字表示用保護素子の近傍に設け、シール部の液晶側に設けることが有効である。また、表示領域外スイッチング素子に対して、絵文字表示領域側に設ける内側絵文字表示用保護素子と外部回路側に設け絵文字表示用保護素子の２箇所の保護素子を設けることで、絵文字表示領域にて発生する静電気、あるいは外部回路と接続するパッド部にて発生する静電気に対して表示領域外スイッチング素子を保護できるため非常に有効である。
また、絵文字表示領域に、動画表示領域に配置した第１のスイッチング素子を模した凸部を、ダミースイッチング素子として配置することによって、第１のスイッチング素子による動画表示領域の液晶層の厚さと、絵文字表示領域の液晶層の厚さの均一性を高めることができるので、均一な表示品質が得られる。つまり、絵文字表示領域の表示電極は、動画表示領域の表示電極よりも大きいため、動画表示領域と同様に、絵文字表示領域の表示電極に薄膜トランジスタ（ＴＦＴ）などのスイッチング素子を動画表示領域と同程度のピッチで設けると、スイッチング素子の電気的短絡の発生確率が高くなってしまう。そこで、絵文字表示領域では、スイッチング素子を動画表示領域と同程度のピッチで設けずに、動画表示領域に比べてスイッチング素子の数を少なくするか、またはスイッチング素子を設けないのが好ましい。
しかし、絵文字表示領域のスイッチング素子の数が動画表示領域のスイッチング素子の数よりも少ないか、または絵文字表示領域にスイッチング素子がない場合には、スイッチング素子が設けられた第１の基板の凹凸の状態は、動画表示領域と絵文字表示領域とで異なる。そうすると、第１の基板と第２の基板をスペーサを介して対向させた場合に、第１の基板の凹凸状態の差により、第１の基板と第２の基板との間隙の量が、動画表示領域と絵文字表示領域とで異なってしまう。そのため、表示パネルの液晶層の厚さが不均一となり、表示品質に差が発生する。
これを防ぐには、動画表示領域と絵文字表示領域とで第１の基板の凹凸の状態を同じにするのが有効である。そこで、絵文字表示領域にダミースイッチング素子を配置して、絵文字表示領域における第１の基板の凹凸の状態を動画表示領域における第１の基板の凹凸の状態と同じにすることによって、動画表示領域の液晶層の厚さと絵文字表示領域の液晶層の厚さが均一となり、表示品質が均一となる。
このように絵文字表示領域にダミースイッチング素子を配置する場合、ダミースイッチング素子を、動画表示領域の第１のスイッチング素子の一部分で構成することにより、ダミースイッチング素子を第１のスイッチング素子と同時に作り込むことができるので、製造工程に負担をかけることなく、ダミースイッチング素子を配置することができる。
また、ダミースイッチング素子の高さを、第１のスイッチング素子の高さのおおよそ１／２以上にすることによって、動画表示領域の液晶層の厚さと絵文字表示領域の液晶層の厚さとの均一性が高くなる。さらには、ダミースイッチング素子の高さが第１のスイッチング素子の高さと同じであれば、より有効である。また、動画表示領域と絵文字表示領域とで第１の基板の凹凸の状態をできるだけ同じにするには、ダミースイッチング素子の面積が第１のスイッチング素子の面積とおおよそ同じであるのが望ましいし、さらにはダミースイッチング素子の分布が第１のスイッチング素子の分布とおおよそ同じであるのが望ましい。
また、絵文字表示領域に、動画表示領域におけるブラックマトリックスのパターンと同じパターンのブラックマトリックスを設けることによって、動画表示領域の明るさと絵文字表示領域の明るさを同じにすることができるので、高い表示品質が得られる。ただし、絵文字表示電極の周囲にギャップを挟んで絵文字表示周囲電極が配置されている場合、このギャップにおいてブラックマトリックスを切り欠くことによって、絵文字表示の外形がブラックマトリックスにより遮られることなく明瞭に表示できるので、高い表示品質が得られる。
また、絵文字表示領域の画素部を、連結部を介して互いに電気的に接続された複数の個別表示電極により固定絵文字状に構成することによって、絵文字表示領域の画素部の面積が小さくなり、液晶による容量負荷が小さくなる。それによって、絵文字表示領域の画素部を駆動する駆動回路の負荷が小さくなるので、表示品質が向上する。
また、絵文字表示領域の画素部を、複数の個別表示電極により固定絵文字状に構成し、個々の個別表示電極を個々の絵文字表示配線電極を介して個別に駆動回路に接続した構成とすることによって、絵文字表示領域の画素部の面積がより一層小さくなり、液晶による容量負荷がさらに小さくなる。したがって、絵文字表示領域の画素部を駆動する駆動回路の負荷がより小さくなるので、表示品質がさらに向上する。
発明を実施するための最良の形態
（第１の実施形態）
以下に、本発明を実施するための最良の形態における液晶表示パネルについて、図面を参照しながら説明する。
第１図は、本発明の第１の実施形態にかかる液晶表示パネルの平面図である。第２図は、第１図に示す液晶表示パネルを、特に動画および絵文字の両表示領域およびその間の仕切り線に関して強調して示した、平面模式図である。第３図は、第１図に示す領域Ｐ２の平面拡大図である。また、第４図は、第３図のＡ−Ａ線上断面図、第５図は、第１図に示す領域Ｐ１の平面拡大図である。さらに第６図は、領域Ｐ１の等価回路図、第７図は、保護素子の印加電圧に対する抵抗値変化を示すグラフである。
まず、第１図および第２図を参照して、本発明の第１の実施形態にかかる液晶表示パネルの概略構成を説明する。
第１図に示す様に、本液晶表示パネルは、間に液晶を挟んで対向配置されている第１の基板１（図では下側）および第２の基板１５（図では上側）で構成されている。第１、第２の基板１、１５は樹脂を材料とするシール部２５によって封止され、その間隙に液晶が注入されている。なお、シール部２５には、液晶の注入孔が設けられ、液晶の注入後はその孔が樹脂によって封止されるが、この部分は本図では省略されている。
本液晶表示パネルは、動画表示領域３０と絵文字表示領域３６および、両領域間にたとえばブラックマトリックスによって設けた仕切り線５１（第２図参照）を有している。動画表示領域３０はアクティブマトリックス方式の駆動方法を採用しており、第１図に示す様に、第１の基板上において、ゲート駆動用集積回路４１に接続される第１の配線電極２、２・・・と、ソース駆動用集積回路４２、４２に接続される第２の配線電極３、３・・・と、第１、第２の配線電極の交点に形成される各画素部にスイッチング素子として形成される薄膜トランジスタ（ＴＦＴ）素子（第１図では示されていない）とによって構成されている。
絵文字表示領域３６は、スイッチング素子を介することなく配線電極を直接絵文字表示電極に接続するセグメント方式を採用している。第１図において、３３ａ、３３ｂ、３３ｃは第１の基板１上に形成された絵文字表示電極（３３で代表する）を示す。第２の基板１５上に設ける対向電極１７は、両表示領域に渡って一体に形成され、動画表示領域３０、絵文字表示領域３６で別個に形成されているものではない。なお、第１の基板１上に形成されるこれら各配線電極、表示電極および薄膜トランジスタ素子の詳細な構造については、後に詳細に説明する。
第１図において、２０は第１の配線電極２とゲート駆動用集積回路４１間に設けられた保護素子、２１は第２の配線電極３の開放端に設けられた保護素子、２２は第２の配線電極３とソース駆動用集積回路４２との間に設けられた保護素子を示す。さらに本実施形態では、絵文字表示配線電極４０ａ、４０ｂ、４０ｃとソース駆動用集積回路４２間にも保護素子２３が設けられている。なお、動画表示領域に対して設けられる保護素子を説明上、第１の保護素子とし、絵文字表示領域に対して設けられる保護素子を第２の保護素子と呼ぶ。
２９ａは、第１の保護素子２０を相互に接続する第１の共通電極を示し、この電極の一端は、導通部４５を介して第２の基板（上側基板）１５の対向電極１７に接続されている。２９ｂは、第１の保護素子２１を相互に接続する第２の共通電極を示し、この電極の一端は、導通部４６を介して第２の基板１５に形成された対向電極１７に接続されている。さらに、２９ｃは第１の保護素子２２および第２の保護素子２３を相互に接続する第３の共通電極を示し、この電極の両端は、導通部４７、４７を介して第２の基板１５に形成された対向電極１７に接続されている。
各保護素子２０、２１、２２、２３は、たとえば後述するようにダイオード接続されたトランジスタであり、表示電極等で大量の静電気が発生した場合導通して、この静電気を対向電極１７に放出する働きをする。これによって、配線電極、集積回路等が静電気によって絶縁破壊されることを防止するものである。
なお、第１図に示す実施形態では、第３の共通電極２９ｃの両端に導通部４７が設けられ、電極２９ｃの両端から対向電極１７に静電気が放出される構成とされているが、これは、電極２９ｃが絵文字表示電極３３で発生する大量の静電気を、保護素子２３を介して放出する役割を担っているからである。
絵文字表示配線電極４０ａ、４０ｂ、４０ｃ（４０で代表する）は、第２図に示す様に、動画表示領域３０と絵文字表示領域３６との間に設けたブラックマトリックスからなる仕切り線５１の下側に配置されるので、外部からこれらの配線電極が見えることはない。
第２図において、２００は上記第１の保護素子２０を形成する領域、２１０は上記第１の保護素子２１を形成する領域、２２０は第１の保護素子２２を形成する領域、さらに２３０は第２の保護素子２３を形成する領域を示している。図示するように、これらの領域は、動画表示領域３０および絵文字表示領域３６の外周部に設けられている。
以下に、第３図乃至第７図を参照して、本液晶表示パネルの詳細構成を説明する。
第１の基板１上には、クロムモリブデン膜からなる第１の配線電極２およびこれに連なるゲート電極４と、ソース側動画表示用保護素子２２と絵文字表示用保護素子２３が接続する共通電極２９ｃとを設ける。
第１の基板１と前記各電極上には、窒化シリコン膜からなるゲート絶縁膜５を設ける。ゲート絶縁膜５上には、アモルファスシリコン（ａ−Ｓｉ）膜からなる半導体層６を設ける。また、第２の配線電極３であるクロム膜からなるソース電極８と、ドレイン電極９と絵文字表示配線電極４０と、ゲート側動画表示用保護素子２０の共通電極２９ａとを設ける。
半導体層６とソース電極８、およびドレイン電極９との間には、不純物ドープ半導体層７を設け接続抵抗の低減化と、ダイオード特性の改善を行っている。以上の構成により薄膜トランジスタ（ＴＦＴ）からなるスイッチング素子１１を形成する。
各第１の配線電極２と、第１の配線電極２と交差する第２の配線電極３との交点に配置する画素部３１（第１図参照）には、スイッチング素子１１を有し、スイッチング素子１１のドレイン電極９には、ドレイン接続電極１０が接続する。以上の基板上には、アクリル樹脂からなる表面に凹凸を有する凹凸有機膜６５を形成する。凹凸有機膜６５は、ドレイン接続電極１０上に、表示電極用導通孔１３を有し、凹凸有機膜６５上に設けるアルミニウム膜の反射性電極からなる表示電極１２と接続する。
また、絵文字表示配線電極４０（第３図乃至第５図では図面を簡略化するために、絵文字表示電極３３ａの配線電極４０ａのみを示す）上には、絵文字表示用導通孔３４を有し、凹凸有機膜６５上に設けるアルミニウム膜の反射性電極からなる絵文字表示電極３３と接続する。さらに、絵文字表示電極３３の周囲には、絵文字表示周囲電極３７をアルミニウム膜の反射性電極にて形成し、絵文字表示周囲配線電極と導通孔（図示せず）を介して接続している。
第４図に示す様に、上記第１の基板１と所定の間隙を設けて対向する第２の基板１５上には、動画表示領域３０と対応する領域に、表示電極１２よりわずかに大きいピッチの赤カラーフィルタ５２と緑カラーフィルタ５３と青カラーフィルタ５４とを設ける。絵文字表示領域３６と対向する領域には、各カラーフィルタ５２、５３、５４のピッチの１／５程度の大きさの精細赤カラーフィルタ５５と精細緑カラーフィルタ５６と精細青カラーフィルタ５７とを設ける。なお、第４図では、青カラーフィルタ５４は現われていない。
第２の基板１５とカラーフィルタとの間には、第２の基板１５側より、酸化クロム膜からなる反射防止層１０４とクロム膜を順次積層してなるブラックマトリックス（遮光層）１０５を設ける。反射防止層１０４とブラックマトリックス１０５は、動画表示領域３０と絵文字表示領域３６との境界に仕切り線５１として設ける。これらは、さらに、動画表示領域３０の外周に設ける動画表示用保護素子２１、２２と重なる領域および、絵文字表示領域３６の外周に設ける絵文字表示用保護素子２３と重なる領域に設ける。
動画表示領域３０に設けるカラーフィルタは、ストライプあるいは、モザイクあるいはデルタ配置であり、絵文字表示領域３６は、デルタ配置を採用している。また、絵文字表示領域３６の精細カラーフィルタは６角形の、複数の大きさの精細カラーフィルタを細密充填し、赤、緑、青の面積が複数の集合で動画表示領域３０の赤、緑、青と同一の色度となる配置を採用している。これにより、たとえば第１図に示す星型の絵文字３３ｃあるいは５角形あるいは円の絵文字３３ａ、３３ｂに対しても、絵文字の外周部で特定の色が見えることを防止している。
さらに、動画表示領域３０に設けるカラーフィルタとカラーフィルタとの間、および絵文字表示領域３６に設ける精細カラーフィルタと精細カラーフィルタとの間には、反射防止層１０４とブラックマトリックス１０５は設けていない。これは、カラーフィルタと精細カラーフィルタのピッチ、一定面積にある個数が異なるため、ブラックマトリックス１０５とカラーフィルタの重なり方と、ブラックマトリックス１０５と精細カラーフィルタとの重なり方とを制御することが非常に難しいため、カラーフィルタを近接あるいは一部重ねることが両表示領域を同一の色調にするのに有効であったことによる。
つぎに、第２の基板１５上には、透明導電膜からなる対向電極１７を、動画表示領域３０と絵文字表示領域３６とその周囲まで広がる領域に設ける。以上の第１の基板１と第２の基板１５上には、ポリイミド樹脂からなる配向膜（図示せず）を形成し、配向処理を行い、シール材２５とスペーサー（図示せず）により所定の間隙を設けて接着し、液晶２４を、封孔部を介して導入しその後封止する。
第２の基板１５の液晶２４と反対の面には、第２の基板１５側より位相差板９６と偏光板９５の順に積層する。以上により本発明の液晶表示パネルを構成する。動画表示領域３０の周囲に設けるゲート側動画表示用保護素子２０の共通電極２９ａと対向電極１７とは、導通部４５により接続し、ソース型動画表示用保護素子２１の共通電極２９ｂと対向電極１７とは、導通部４６により接続し、動画表示用保護素子２２と絵文字表示用保護素子２３に共通に接続される共通電極２９ｃと対向電極１７とは、２個の導通部４７、４７により接続する。
第１の配線電極２は、第１の基板１上に設けるゲート駆動用集積回路４１に接続され、所定の信号を印加可能とする。第２の配線電極３と、絵文字表示配線電極４０（４０ａ、４０ｂ、４０ｃ）と、絵文字表示周囲電極３７は、第１の基板１上に設けるソース駆動用集積回路４２に接続され、所定の信号を印加可能とする。第２の基板１５上に設ける対向電極１７は、上下導通部（図示せず）を介して、第１の基板１上に設けるゲート駆動用集積回路４１または、ソース駆動用集積回路４２のいずれかに接続される。
第３図に示すように、絵文字表示領域３６には、動画表示領域３０の各画素部３１に設けるスイッチング素子１１を構成する部材の一部あるいは全部からなる凸部６１を動画表示領域３０のスイッチング素子１１の密度とほぼ同等に配置している。
さらに、絵文字表示配線電極４０は、絵文字表示周囲電極３７の下層に絶縁膜を介して設けている。そのため、絵文字表示電極３３と絵文字表示周囲電極３７との絵文字周囲ギャップ３８においてわずかに見える程度ですむ。
以上の構成により、動画表示領域３０の周囲に、１辺に配置するゲート側動画表示用保護素子２０と２辺に配置するソース側動画表示用保護素子２１、２２と絵文字表示領域３６の外部に設ける絵文字表示用保護素子２３を有し、動画表示領域３０と絵文字表示領域２６の境界には、反射防止層１０４とブラックマトリックス１０５からなる仕切り線５１とを有する液晶表示パネルとなる。
つぎに、第５図と第５図の等価回路を示す第６図とを用いて動画表示用保護素子２２と絵文字表示用保護素子２３とを説明する。なお、各保護素子および共通電極は、基本的に同じ構成を有している。動画表示領域３０には、スイッチング素子１１のドレイン電極に接続する動画表示画素部が構成され、第６図ではこれを９１で示している。ソース電極８に接続する第２の配線電極３は、動画表示領域３０の外周まで延在し、保護素子２２を構成する第１のトランジスタＴｒ１のソース電極Ｓ１と、第２のトランジスタＴｒ２のソース電極Ｓ２と導通孔ＣＨ２を介して第２のゲート電極ＨＧ２とに接続する。
第３の共通電極２９ｃは、第１のトランジスタＴｒ１のドレイン電極Ｄ１と導通孔ＣＨ１を介して第１のゲート電極ＨＧ１と、第２のトランジスタＴｒ２のドレイン電極Ｄ２に接続する。第１のトランジスタＴｒ１は、第１のドレイン電極Ｄ１と第１のゲート電極Ｇ１とが接続されており、その結果電極Ｄ１と電極Ｇ１とが第１のソース電極Ｓ１に比較して高い電位となると、電極Ｄ１側から電極Ｓ１側に電流を流すことが可能となる。すなわち第１のトランジスタＴｒ１はダイオード接続されている。
同様に、第２のトランジスタＴｒ２は、第２のソース電極Ｓ２と第２のゲート電極Ｇ２とが接続し、電極Ｓ２と電極Ｇ２とが、第２のドレイン電極Ｄ２に比較して高い電位となると電極Ｓ２側から電極Ｄ２側に電流を流すことが可能となる。すなわち、第２のトランジスタＴｒ２も同様にダイオード接続されている。
これらの２個のトランジスタＴｒ１、Ｔｒ２はさらにリング状に接続され、リングダイオードとして機能する。すなわち、第２の配線電極３が共通電極２９ｃより低い電位となると第１のトランジスタＴｒ１により、共通電極２９ｃから第２の配線電極３に電流が流れ、電位のゼロ化を行う。逆に、第２の配線電極３が共通電極２９ｃより高い電位となると第２のトランジスタＴｒ２により、第２の配線電極３から共通電極２９ｃに電流が流れ、電位のゼロ化を行う。
同様に、絵文字表示領域３６には、絵文字表示電極３３と対向電極１７と液晶から構成する絵文字表示画素部９２を有する。絵文字表示電極３３に接続する絵文字表示配線電極４０は、絵文字表示領域３６の外周まで延在し、第３のトランジスタＴｒ３のソース電極Ｓ３と、第４のトランジスタＴｒ４のソース電極Ｓ４と導通孔ＣＨ４を介して第４のゲート電極ＨＧ４とに接続する。
絵文字表示用の共通電極は、動画表示用の共通電極と一体である。この共通電極２９ｃは、第３のトランジスタＴｒ３のドレイン電極Ｄ３と導通孔ＣＨ３を介して第３のゲート電極ＨＧ３と、第４のトランジスタＴｒ４のドレイン電極Ｄ４に接続する。第３のトランジスタＴｒ３と第４のトランジスタＴｒ４は、リング状に接続され、絵文字表示配線電極４０と第３の共通電極２９ｃとの電位差により、トランジスタＴｒ３、Ｔｒ４により、電荷の中和が達成できる。
第３の共通電極２９ｃは、共通電極２９ｃの両端部分に設けられた導通部４７、４７により第２の基板１５上に設ける対向電極１７と接続される。なお、第５図および第６図では、図面を簡略化するために、絵文字表示電極３３ａに対する配線電極４０ａおよびこの配線電極４０ａに接続される保護素子２３のみを示しているが、実際は絵文字表示電極３３ｂ、３３ｃ、これらの表示電極に対応する配線電極４０ｂ、４０ｃ（第１図参照）、さらにこれらの配線電極４０ｂ、４０ｃに接続される保護素子が存在することに注意すべきである。さらに、第１図、第３図および第５図において、ブラックマトリックスからなる仕切り板５１も、図面の理解を容易にする観点から省略されていることに注意すべきである。
本発明に用いる保護素子の電圧電流特性を、第７図を用いて説明する。第７図は、保護素子の一例として絵文字表示用保護素子の特性を示す。横軸は、絵文字表示配線電極４０の共通電極２９ｃとの電位差Ｖｓに相当し、縦軸は、トランジスタＴｒ３とトランジスタＴｒ４に流れる電流である。電位差Ｖｓが０ボルトから２ボルト程度で流れる電流は、１０−１３アンペア（Ａ）と非常に高抵抗である。電位差Ｖｓが５ボルトを超えると電流が急激に流れ、１０ボルトでは、１０−７アンペア（Ａ）と低抵抗となり、大きく抵抗値が変化していることが分かる。
すなわち、絵文字表示配線電極４０にプラス（＋）静電気が発生する、あるいはマイナス（−）静電気が発生しても、絵文字表示用保護素子２３の大きな抵抗変化により大きな電流が流れ、瞬時に電荷が中和できる。また、絵文字表示配線電極４０に所定の電圧を印加して絵文字を表示する場合には、絵文字表示用保護素子２３は充分高抵抗なため、絵文字表示配線電極４０と共通電極２９ｃとのリークはほとんど発生しないため、消費電力もほとんど必要としない。
以上の説明から明らかなように、絵文字表示領域の外周部に絵文字表示用保護素子を設けることで、静電気による液晶の劣化、あるいは、絵文字と絵文字表示周囲との表示差（領域の明るさ、色調における差）、絵文字表示電極と絵文字表示周囲電極とのスパークによる外周部破損を発生することがなくなる。さらに、動画表示領域と絵文字表示領域の境界に反射防止層とブラックマトリックスからなる仕切り線を設けることで、常時、動画表示領域と絵文字表示領域とを識別することが可能となる。さらに、動画表示領域と絵文字表示領域の明るさ、色調を同等とすることが可能となる。
ところで、カラービデオ画像表示を行う領域（本実施の形態の動画表示領域に相当）と、白黒キャラクター表示（本実施の形態の絵文字表示領域に相当）を行う領域を同一表示パネルに設けた液晶表示装置が特開平５−４５６４５号公報に開示されている。しかし、この公報に開示された液晶表示装置では、上記二つの表示領域の境界に本実施の形態のような仕切り線を設けていないため、視聴者が二つの領域の表示を誤認識するとがあり、好ましくない。それに対して、本実施の形態では、動画表示領域と絵文字表示領域との境界に仕切り線が設けられているので、視聴者は二つの領域の表示を正確に認識することができる。
また、携帯電話の表示部を透過カラー表示領域と半透過白黒表示領域の二つに分け、透過カラー表示画面に設けたブラックマトリックスを半透過白黒表示画面にまで若干伸ばした液晶表示装置が特開２００２−５５３３７号公報に開示されている。このブラックマトリックスは、透過カラー表示画面にて用いるバックライトの光が、白黒表示画面へ漏れるのを防止することを目的として設けられたものであり、透過カラー表示領域と半透過白黒表示領域との境界線として用いたものではない。このことは、特開２００２−５５３３７号公報に、ブラックマトリックスが二つの表示領域の境界線となると明示されていないことからも明らかである。それに対して、本実施の形態の仕切り線は、動画表示領域と絵文字表示領域との境界を明確にするために設けられたものであり、上記公報に開示されたものとは技術的思想が全く異なるものである。
（第２の実施形態）
以下に、本発明の第２の実施形態にかかる液晶表示パネルについて、第８図、第９図および第１０図を参照しながら説明する。なお、以下の説明すべてにおいて、第１の実施形態と同じかまたは類似する構成要素については、同じ記号または符号をつけて参照し、したがってその詳細な説明は省略する。
第２の実施形態にかかる液晶表示パネルの特徴は、動画表示領域３０において、スイッチング素子を介することなく各配線電極が動画表示画素に直接接続するパッシブマトリックス方式を採用し、絵文字表示領域３６も、スイッチング素子を介することなく配線電極が直接絵文字表示電極に接続するパッシブ方式（スタティク：セグメント方式）とした点である。本実施形態では、第１の実施形態と異なって、対向電極は動画表示領域３０と絵文字表示領域３６とにおいて別個に構成される。第８図では、動画表示領域３０用の対向電極を１８で示し、絵文字表示領域３６用の対向電極を１９で示している。本実施形態において、動画表示領域３０と絵文字表示領域３６の間に仕切り線５１を有し、この仕切り線は、アクリル樹脂に黒色顔料を分散したブラック樹脂で構成される。
第９図は、第８図の領域Ｐ３の拡大図である。第９図に示す様に、絵文字表示周囲電極３７は、絵文字表示配線電極３３ａに近接する部分に対して電気的短絡を防止するためにギャップ３８を有し、それ以外の部分では、絵文字表示画素電極３３ａの周囲を囲んでいる。保護素子は、リングトランジスタ（リングダイオード）とする。パッシブマトリックス方式では、スイッチング素子の破損はないが、配線電極における静電気により、液晶に大きな電圧が印加され、液晶の劣化、焼付が発生する。さらに、絵文字表示領域３６の背景（周囲電極３７）と絵文字表示画素とのギャップ、あるいは絵文字表示配線電極４０と周囲電極３７とが近接しているため、静電気により、配線電極４０の断線が発生し易い。そのため、保護素子により、電流を逃がすことは効果がある。
第８図のＢ１−Ｂ１線上断面図およびＢ２−Ｂ２線上断面図である第１０図（ａ）および（ｂ）に示す様に、まず第１の基板１上には、銀合金膜からなる反射板６６を形成する。第１の基板１と反射板６６上には、赤カラーフィルタ５２と緑カラーフィルタ５３と青カラーフィルタ５４とを設ける。カラーフィルタ上には、絶縁性保護層６７を設ける。絶縁性保護層６７上には透明導電膜からなる配線電極３ａを設ける。この配線電極３ａは後述する基板１５上に形成される配線電極１６と共にマトリックス状に配置される各表示画素を構成する。
さらに、第１の基板１上には、第１の実施形態と同様に、薄膜トランジスタ（ＴＦＴ）からなるスイッチング素子１１をリング状に接続する保護素子２０、２１、２２、２３を設ける。なお、本実施形態では配線電極３ａに接続する保護素子２２のみを第１０図（ａ）で示しているが、配線電極３ａの他端、配線電極１６の一端、さらに絵文字表示配線電極４０ａ、４０ｂ、４０ｃの一端にも、第１の実施形態と同様に保護素子が設けられる。
第１の基板１と所定の間隙を設けて対向する第２の基板１５上には、透明導電膜からなる配線電極１６を配線電極３ａと直交する方向に設ける。配線電極１６は、第１の基板１上に設ける保護素子に上下導通部（図示せず）を介して接続される。これは、保護素子を第１の基板１と第２の基板１５の両方に形成することは効率が悪いためである。
第２の実施形態も第１の実施形態と同様に、動画表示領域３０の外周部の３辺に保護素子を設けている。また、絵文字表示領域３６の外周部にも絵文字表示用保護素子を設ける。第２の基板１５の液晶２４と反対の面には、位相差板９６と偏光板９５を図示の順に設ける。
本第２の実施形態では、絵文字表示電極３３と絵文字表示対向電極１９との交差部に設ける絵文字表示画素部９２からなる絵文字と、絵文字の周囲に設ける絵文字表示周囲電極３７とを設ける。絵文字表示電極３３と絵文字表示周囲電極３７の間には、絵文字周囲ギャップ３８を有し、さらに、絵文字表示電極３３と接続する絵文字表示配線電極４０（４０ａ、４０ｂ、４０ｃ）は、絵文字周囲ギャップ３８につながるギャップから仕切り線５１と重なる領域を通り、絵文字表示領域３６の外部へ延在する。本第２の実施形態の仕切り線５１は、第１０図（ｂ）に示す様に、樹脂ブラック（アクリル樹脂に黒色顔料を分散したもの）で構成される。
以上の説明から明らかなように、動画表示領域を構成する画素部には、スイッチング素子を設けることなく、動画表示領域と絵文字表示領域の外周部に保護素子を設けることで、動画表示領域と絵文字表示領域の液晶、配線電極、周囲電極の破損、劣化を防止することが可能となる。具体的に説明すると、仕切り線５１と重なる領域に絵文字表示配線電極が複数本配置されるので、絵文字周囲電極の絵文字表示配線電極による切り欠きの長さが短くなり、さらに絵文字表示配線電極が見えないので表示品質の改善が期待される。一方で、近接して絵文字表示配線電極を配置しているので、静電気によって絵文字表示配線電極が断線する可能性があるが、これらは保護素子を設けることで防止することが可能である。
さらに、保護素子を第１の基板のみに設けることにより、第２の基板上に保護素子を設ける工程を設ける必要がない。
（第３の実施形態）
以下に、本発明の第３の実施形態における液晶表示パネルについて、図面を参照しながら説明する。第１１図は、本実施形態における絵文字表示電極３３ａの付近の平面拡大図である。また第１２図は、第１１図のＣ−Ｃ線上における断面図である。
第３の実施形態の特徴は、半透過反射型液晶表示パネルの構成である。半透過性は、反射部材と反射部材に設ける透過孔により実現する。アクティブマトリックス方式の動画表示領域３０の画素部は、反射性電極からなる表示電極１２と、透明導電膜からなる表示電極（図示せず）を有する。反射性電極には、動画画素透過孔６８ａを設ける。
絵文字表示領域３６に設ける絵文字画素透過孔６８ｂは、動画画素透過孔６８ａの大きさに比較して小さく、かつ、ピッチも小さくする。これは、絵文字の反射と透過の視認性を改善するためである。絵文字表示透過孔６８ｂの部分には反射性電極からなる絵文字表示電極と電気的接続を行う透明導電膜を形成している。
動画表示領域３０と絵文字表示領域３６の間に、第１の基板１上に設ける第１の仕切り配線１０１と第２の基板１５上に設ける第２の仕切り配線１０２からなる仕切り画素部１０３を設けている。仕切り画素部１０３の液晶２４の電気光学特性により、動画表示領域３０と絵文字表示領域３６を鮮明に分けて表示、あるいは絵文字だけを表示することの選択が可能となる。仕切り画素部１０３のカラーフィルタも精細とする。
第１の基板１の下側には、透過表示のコントラスト改善のために、第２の位相差板９８と第２の偏光板９７を設ける。さらに、第２の偏光板９７の下側には、バックライト７０を設ける。透過表示の際に、仕切り画素部１０３を明るく表示する場合には、第２の仕切り配線１０２に透過孔を設けることで達成できる。
以上の構成の液晶表示パネルを採用することにより、反射表示および透過表示の際に、動画表示領域３０と絵文字表示領域３６の明るさ、色調、コントラストをほぼ同等とすることが可能となる。さらに、第１、第２の実施形態における仕切り線５１を仕切り画素部１０３で構成することにより、仕切り線５１の表示を絵文字表示領域の表示内容により明暗、色調を変化することが可能となる。
さらに、仕切り画素部１０３を反射と透過で明暗を制御可能にするためには、第１の仕切り配線１０１を反射性電極で形成し、さらに、透過孔を複数形成することで達成できる。
（第４の実施形態）
以下に本発明の第４の実施形態における液晶表示パネルについて図面を参照しながら説明する。第１３図は、第４の実施形態における液晶表示パネルの平面模式図であり、第１４図は、第１３図に示す領域Ｐ４の周辺拡大図である。
第４の実施形態の特徴は、液晶表示パネルの動画表示領域３０の非点灯（非駆動）時に、液晶表示パネルの状況を呈示するために、絵文字表示領域３６単独を表示し、さらに、絵文字表示領域３６の駆動周波数を低周波にするために、絵文字表示領域３６の外周部に、第１３図に示す様にスイッチング素子形成領域２４０を設け、この領域に第１４図に示す様に表示領域外スイッチング素子１１４を設ける点である。
また、表示領域外スイッチング素子１１４は、絵文字表示用保護素子２３の近傍に設けることにより静電気での破損を防止することが可能となる。
さらに、表示領域外スイッチング素子１１４と絵文字表示用保護素子２３は、シール部２５の内側に配置し、外部からの機械的破損を防止するとともに、シール部２５からの影響も防止している。
第１３図、第１４図には示されていないが、第１の基板１上には、第１の実施形態と同様に、動画表示領域３０に、各画素部にスイッチング素子として薄膜トランジスタ（ＴＦＴ）を設けるアクティブマトリックス方式を採用する。また、動画表示領域３０の外周部２００、２１０、２２０には、ゲート側動画表示用保護素子とソース側動画表示用保護素子とを有する。絵文字表示領域３６の外周部２３０には、絵文字表示用保護素子２３をシール部２５の液晶側に設ける。
絵文字表示領域３６と絵文字表示用保護素子２３との間には、絵文字表示配線電極４０に接続する表示領域外スイッチング素子１１４を設ける。第１４図に示すように、絵文字表示配線電極４０は、表示領域外スイッチング素子１１４に設けるトランジスタＴｒ５の第５のドレイン電極Ｄ５に接続する。トランジスタＴｒ５は、外部回路と接続する第５のゲート電極ＳＧ５と、絵文字表示用保護素子２３を介して外部回路（図示せず）に接続する第５のソース電極Ｓ５と、アモルファスシリコン（ａ−Ｓｉ）膜からなる第５の半導体層ＨＳ５とからなる。
絵文字の周囲に設ける絵文字表示周囲電極３７もトランジスタＴｒ６に接続している。また、本実施形態では、動画表示領域用の保護素子２２は共通電極２９に接続され、導通部４５によって対向電極に接続されており、一方、絵文字表示領域用の保護素子２３は共通電極３９に接続され、導通部４６によって対向電極に接続されている。
以上の構成を採用することにより、トランジスタＴｒ５、Ｔｒ６の非線形性を利用し、絵文字表示領域を構成する絵文字表示画素部９２、あるいは絵文字表示周囲画素部の液晶２４の容量に蓄積された電荷を表示領域外スイッチング素子１１４により保持、あるいは放電することが可能となり、周波数を可変しても良好な表示が可能となる。
さらに、表示領域外スイッチング素子１１４を絵文字表示用保護素子２３の近傍に設けることにより、表示領域外スイッチング素子１１４の静電気による劣化、破損をほぼ無くすことが可能となる。
（第５の実施形態）
以下に、本発明の第５の実施形態における液晶表示パネルについて図面を参照しながら説明する。第１５図は、第５の実施形態における液晶表示パネルの平面模式図であり、第１６図は、第１５図のＰ５の部分を示す平面図である。
第５の実施形態の特徴は、第４の実施形態と同様に、液晶表示パネルの動画表示領域３０の非点灯（非駆動）時に、液晶表示パネルの状況を呈示するために、絵文字表示領域３６単独を表示し、さらに、絵文字表示領域３６の駆動周波数を低周波にするために、絵文字表示領域３６の外周部２４０に、表示領域外スイッチング素子１１４を設ける点である。
さらに本実施形態では、表示領域外スイッチング素子１１４に対して絵文字表示領域側の絵文字表示領域外にさらに領域２５０を設け、この領域に内側絵文字表示用保護素子１１６を設けたことを特徴とする。すなわち本実施形態では、絵文字表示領域３６に対して２箇所で保護素子を設けている。なお、内側絵文字表示用保護素子１１６は、絵文字表示領域３６の外側に設けることによって表示に影響を及ぼさないが、保護素子１１６を設ける領域を新たに必要とするので、その分絵文字表示領域３６の面積が縮小する。したがって、絵文字表示領域の面積を多く必要とする場合は、絵文字表示領域内に設けることもあり得る。
表示領域外スイッチング素子１１４に対して、絵文字表示領域３６からの静電気は、内側絵文字表示用保護素子１１６により電流を流し、低電圧化を行い、外部からの静電気は、絵文字表示用保護素子２３により電流を流し、低電圧化を行う。
さらに、表示領域外スイッチング素子１１４と絵文字表示用保護素子２３と内側絵文字表示用保護素子１１６とは、シール部の内側に配置し、外部からの機械的破損を防止するとともに、シール部からの影響も防止している。
第１６図に示すように、内側絵文字表示用保護素子１１６は、絵文字表示用保護素子２３とほぼ同様に形成する保護素子であり、トランジスタＴｒ７とトランジスタＴｒ８によりリングダイオード化している。絵文字表示共通電極３９は、絵文字表示用保護素子２３と内側絵文字表示用保護素子１１６で同一のものを採用している。
（第６の実施形態）
以下に本発明の第６の実施形態における液晶表示パネルについて図面を参照しながら説明する。第１７図は、第６の実施形態にかかる液晶表示パネルにおいて、その絵文字表示用保護素子部分の平面拡大図であり、第１８図は、第１７図の等価回路図である。
本第６の実施形態の特徴は、絵文字表示用保護素子２３において、二個のトランジスタＴｒ８、Ｔｒ９を直列に接続し、さらに、ゲート電極Ｇ８で共通化している。また、トランジスタＴｒ１０、Ｔｒ１１も同様に直列に接続してゲート電極Ｇ１０で共通化し、２個ずつ直列に接続するトランジスタ同士をリング状に接続する。第１８図は、等価回路を示している。
トランジスタＴｒを二個直列に接続することにより、たとえば、１個のトランジスタＴｒ８がショートしても、他方のトランジスタＴｒ９が残っているので、絵文字表示画素部あるいは絵文字表示配線電極が保護される。さらに複数のトランジスタＴｒを直列に接続することも考えられるが、瞬間に流せる電流値の減少、素子の占める面積の増加があるため、二個直列接続し、さらにリング状に接続することが好ましかった。
以上の説明から明らかなように、保護素子は、絵文字表示配線電極と共通電極との間に、二個のトランジスタＴｒが直列に接続するトランジスタセットをリング状に接続する合計４個のトランジスタＴｒで構成することにより、静電気でトランジスタＴｒが１個破損しても、表示には何ら問題を発生することがない。そのため、大きな表示領域を有する絵文字では、静電気による電流量が大きいので、本実施形態の構成を採用することは、特に有効に作用する。
（第７の実施形態）
以下に本発明の第７の実施形態における液晶表示パネルについて図面を参照しながら説明する。第７の実施形態の特徴は、仕切り線５１の部分には反射電極と対向電極を設けず、反射率を低減していることである。また、透過表示の際には、バックライトからの出射光がカラーフィルタのみで減衰するのみであるため、明るく鮮明に仕切り線を表示できる。第１９図は、第７の実施形態にかかる液晶表示パネルにおいて、その絵文字表示電極３３ａの付近の平面拡大図である。第２０図は、第１９図に示すＤ−Ｄ線における断面図である。
第７の実施形態は、第３の実施形態と同様に、半透過反射型液晶表示パネルを採用している。第１の基板１上に設けるスイッチング素子１１、および、凹凸有機膜６５、半透過反射板の構成は、同様である。表示電極１２に設ける動画画素透過孔６８ａには、凹凸有機膜６５に動画画素透過堀８１を形成し、その上に動画画素透明導電膜８３を形成する。また、絵文字表示電極３３ａに設ける絵文字画素透過孔６８ｂには、凹凸有機膜６５に絵文字画素透過堀８２を形成し、その上に絵文字画素透明導電膜８４を形成する。
仕切り線５１の領域には、第１の基板１上に、凹凸有機膜６５と仕切り線用堀８０を設ける。そのため、他の領域より反射率を低くできる。第２の基板１５上には、カラーフィルタは透過率の低減のため設けるが、反射率を低減する目的のため、透明導電膜からなる対向電極は除いている。液晶２４は、印加電圧が小さい場合に明状態となり、印加電圧が大きい場合に暗状態となる、ノーマリー白表示を用いる。
以上の構成を採用することにより、仕切り線５１は、反射の場合には、他の部分より暗い表示となり、透過の場合には、他の部分より明るい表示として認識可能となる。本第７の実施形態は半透過反射板を利用したが、反射性電極を削除して表示電極１２、あるいは絵文字表示電極３３を透明導電膜のみとし、凹凸有機膜６５を平坦化することで透過型液晶表示パネルへの本発明が応用可能となる。
（第８の実施形態）
以下に本発明の第８の実施形態における液晶表示パネルについて図面を参照しながら説明する。第８の実施形態の特徴は、仕切り線５１を異なる色のカラーフィルタを積層して反射率を低減する構成を採用する点と、絵文字表示配線電極を仕切り線と重なる領域に形成する点と、仕切り線に重なる領域に設ける複数の絵文字表示配線電極を、互いにほぼ平行して形成する点にある。第２１図は、第８の実施形態における液晶表示パネルの平面模式図であり、第２２図は、第２１図に図示すＥ−Ｅ線における断面図である。
第８の実施形態は、第１の実施形態と同様に、動画表示領域３０と絵文字表示領域３６とを有し、動画表示領域３０を構成する各画素部には、薄膜トランジスタＴＦＴからなるスイッチング素子を配置する。絵文字表示領域３６は、絵文字表示電極３３とその周囲に絵文字周囲ギャップ３８を開けて設ける絵文字表示周囲電極３７とを有する。第２の基板１５上には、透明導電膜からなる対向電極１７を設ける。
第２２図に示すように、仕切り線５１の領域では、赤カラーフィルタ５２と緑カラーフィルタ５３と青カラーフィルタ５４の３層を積層している。これにより他の領域と異なり、透過率を極端に低下することができる。
また、仕切り線５１と重なる第１の基板１上には、凹凸有機膜６５の表面を平坦化し、絵文字表示配線電極の断線を防止している。絵文字表示配線電極７１、７２および７３の３本の絵文字表示配線電極は、第２１図に図示すように、ほぼ平行に配置している。そのため、絵文字表示配線電極は、仕切り線５１により遮蔽することが可能となる。また、仕切り線５１は、動画表示領域３０と絵文字表示領域３６と一部で重なり合っている。なお、７６は周囲電極３７の配線電極を示す。
以上の構成を採用することにより、仕切り線５１は特に工程を増やすことなく、良好な遮光性を確保できる。さらに、仕切り線５１と重なり合う領域に複数の絵文字表示配線電極をほぼ平行に配置することにより、これらの配線電極が外部より認識されることもなく、表示品質を改善できる。
（第９の実施形態）
以下に本発明の第９の実施形態における液晶表示パネルについて図面を参照しながら説明する。第９の実施形態の特徴は、仕切り線５１を細線化するために、絵文字表示領域の絵文字の下に他の絵文字の絵文字表示配線電極を配置する構成とする点である。第２３図は、第９の実施形態における液晶表示パネルの平面模式図である。第２４図は、第２３図に示すＰ６の部分の拡大平面図である。
第９の実施形態は、第１の実施形態と同様に、動画表示領域３０と絵文字表示領域３６とを有し、動画表示領域３０を構成する各画素部には、薄膜トランジスタＴＦＴからなるスイッチング素子を配置する。絵文字表示領域３６は、絵文字表示電極３３とその周囲に絵文字周囲ギャップ３８を開けて設ける絵文字表示周囲電極３７とを有する。第２の基板１５上には、透明導電膜からなる対向電極１７を設ける。
第２３図に示すように、仕切り線５１は、動画表示領域３０と絵文字表示領域３６の一部に重なり合う。また、絵文字表示領域３６と仕切り線５１の面積を小さくするために、絵文字表示電極３３に接続し、絵文字表示領域３６の外部まで延存する絵文字表示配線電極は、絵文字表示電極３３の下層に絶縁膜を介して設けている。しかし、絵文字表示電極３３と絵文字表示周囲電極３７との間に設ける絵文字周囲ギャップ３８にて、絵文字表示配線電極７１、７２、７３が見えることを防止するために、ギャップ部分に相当するこれらの配線電極部分を細く絞っている。
絵文字表示電極３３、および絵文字表示周囲電極３７は、反射性電極であるため、下層に設ける絵文字表示配線電極７１，７２，７３を遮蔽し、表示の妨害とはならない。そのため、第２３図に示すように、絵文字表示領域３６の余分な部分の面積の縮小化が可能となる。さらに、仕切り線５１の面を縮小しても視認性の良好な表示が可能となる。
（第１０の実施形態）
以下に本発明の第１０の実施形態における液晶表示パネルについて図面を参照しながら説明する。第１０の実施形態の特徴は、仕切り線を細線化すると同時に、絵文字表示電極３３を第１の基板１上に直接設ける構成を採用する点である。第２５図は、第１０の実施形態における液晶表示パネルの平面模式図である。この図に示す様に、第１０の実施形態では、絵文字表示領域３６をできるだけ簡単な構造とするために、絵文字表示電極３３を第１の基板１上に直接設ける。また、透過表示に利用するため、絵文字表示電極３３は、透明導電膜にて形成する。そのため、絵文字表示電極３３の下層には、光を遮る部材、または導電性部材を配置することはできない。
本第１０の実施形態は、絵文字表示電極３３に接続し、絵文字表示領域３６の外周部に延存して設ける絵文字表示配線電極７１，７２，７３を各絵文字の周囲で迂回する構成を採用する。絵文字表示電極３３と絵文字表示配線電極７１，７２，７３とは、透明導電膜で形成し、一体である。
第２５図に示すように、絵文字表示配線電極７１は、五角形の絵文字表示電極３３ｂと楕円の絵文字表示電極３３ａを迂回する。絵文字表示配線電極７２は、楕円の絵文字表示電極３３ａを迂回する。本実施形態では、楕円の絵文字表示電極３３ａに対して、同一方向に絵文字表示配線電極７１と７２を配置しているが、複数の絵文字表示電極を迂回する場合には、絵文字表示電極３３ａに対して左右にほぼ同数を割り振ると、絵文字表示電極が絵文字表示配線電極に対して中央に位置するため特に有効である。
以上の構成を採用することにより、透過型液晶表示パネルの絵文字表示領域においても、表示品質の良好な絵文字表示が可能となる。
（第１１の実施形態）
以下に、本発明の第１１の実施形態における液晶表示パネルについて、図面を参照しながら説明する。第２７図は、本実施形態における絵文字表示電極３３ａの付近の平面拡大図である。なお、説明の便宜上、楕円形の絵文字表示電極３３ａについて説明するが、他の絵文字についても同様である。
第１１の実施形態の特徴は、絵文字表示領域３６の絵文字表示電極３３ａよりなる画素部に、たとえば薄膜トランジスタ（ＴＦＴ）からなるスイッチング素子（以下、絵文字スイッチング素子とする）４１１を設けた点と、絵文字表示領域３６に、ダミースイッチング素子として複数の凸部６１を設けた点である。この凸部６１は、動画表示領域３０における液晶層の厚さと絵文字表示領域３６の液晶層の厚さとの不均一性を緩和するために設けられている。
すなわち、動画表示領域３０の各画素部３１には、第１のスイッチング素子１１が一つずつ設けられている。つまり、動画表示領域３０には、第１のスイッチング素子１１が多数配置されている。それに対して、絵文字表示領域３６では、絵文字スイッチング素子４１１が絵文字の数分、たとえば第１図に示す例では３個しかなく、動画表示領域３０における第１のスイッチング素子１１の分布に比べて著しくまばらである。
これらスイッチング素子１１、４１１は、たとえば第１の基板１上に半導体膜、絶縁膜および金属膜等を積層することにより形成されるため、仮に絵文字表示領域３６に凸部６１が配置されていないとすると、第１の基板１の凹凸状態が、動画表示領域３０と絵文字表示領域３６とで異なってしまう。そうすると、スペーサを介して第１の基板１と第２の基板１５とを対向させ、その間に液晶を封入した場合に、絵文字表示領域３６における液晶層の厚さが、動画表示領域３０における液晶層の厚さよりも小さくなる、すなわち薄くなってしまう。このように液晶層の厚さが不均一であると、動画表示領域３０と絵文字表示領域３６とで均一な表示品質が得られないので、好ましくない。
換言すれば、均一な表示品質を得るには、動画表示領域３０と絵文字表示領域３６とで第１の基板１の凹凸状態を同じか、またはおおよそ同じにすればよい。そのためには、絵文字表示領域３６に、動画表示領域３０の第１のスイッチング素子１１を模したダミースイッチング素子（凸部６１）を、動画表示領域３０の第１のスイッチング素子１１の分布と同じように配置すればよい。
このような観点に鑑みれば、凸部６１の高さは動画表示領域３０の第１のスイッチング素子１１の高さと同じであるのが好ましい。しかし、凸部６１の高さが第１のスイッチング素子１１の高さの１／２以上であれば、動画表示領域３０と絵文字表示領域３６とで実用上問題のない程度に均一な表示品質が得られるので、凸部６１の高さは第１のスイッチング素子１１の高さの１／２以上であってもよい。
また、凸部６１の高さが第１のスイッチング素子１１の高さよりも若干高くても表示品質に問題はない。しかし、凸部６１を第１のスイッチング素子１１とともに形成する場合には、半導体膜や絶縁膜や金属膜などを第１のスイッチング素子１１よりも厚く形成したり、第１のスイッチング素子１１の製造プロセスに加えてさらに半導体膜や絶縁膜や金属膜などを積層する工程が必要になるなど、工程数の増加や複雑化を招くので好ましくない。
したがって、凸部６１の高さは、第１のスイッチング素子１１の高さのおおよそ１／２以上で、第１のスイッチング素子１１と同じ高さ以下であるのがよく、好ましくは同じ高さであるとよい。また、凸部６１の面積は動画表示領域３０の第１のスイッチング素子１１の面積とおおよそ同じであるのが好ましい。さらに、絵文字表示領域３６における凸部６１の分布が、動画表示領域３０における第１のスイッチング素子１１の分布とおおよそ同じであるのが好ましい。つまり、絵文字表示領域３６におおよそ同じ大きさの凸部６１を、動画表示領域３０の第１のスイッチング素子１１とおおよそ同じピッチで配置するのが好ましい。
ただし、第２７図に示すように、絵文字周囲ギャップ３８を避けて凸部６１を配置した方が表示品質が高いので、絵文字周囲ギャップ３８があることにより、凸部６１を第１のスイッチング素子１１とおおよそ同じピッチで配置することができない場合には、凸部６１の位置を適当にずらせばよい。その場合でも、凸部６１の局所的な密度が動画表示領域３０における第１のスイッチング素子１１の密度とおおよそ同じになるように、凸部６１を配置するのが好ましい。また、絵文字スイッチング素子４１１を、動画表示領域３０の第１のスイッチング素子１１のいずれかの列の延長上に配置するのがよい。
第２７図に示す例では、凸部６１は、第１のスイッチング素子１１とほぼ同じ構成である。すなわち、第１の基板１上にクロムモリブデン膜からなるダミーゲート電極４１４が形成され、ダミーゲート電極４１４上に窒化シリコン膜からなる絶縁膜（図示省略）が形成され、絶縁膜上にアモルファスシリコン（ａ−Ｓｉ）膜からなる半導体層４１６が形成され、不純物ドープ半導体層（図示省略）を介してクロム膜からなるダミーソース電極４１８およびダミードレイン電極４１９が形成されている。
凸部６１が絵文字表示電極３３ａまたは絵文字表示周囲電極３７よりも上側、すなわち絵文字表示電極３３ａまたは絵文字表示周囲電極３７と対向電極１７との間に設けられている場合には、ダミーゲート電極４１４、ダミーソース電極４１８およびダミードレイン電極４１９は絵文字表示電極３３ａまたは絵文字表示周囲電極３７と短絡しているのが好ましい。その理由は、何らかの原因である凸部６１のダミーゲート電極４１４、ダミーソース電極４１８またはダミードレイン電極４１９が絵文字表示電極３３ａまたは絵文字表示周囲電極３７と異なる電位になってしまうと、絵文字表示電極３３ａまたは絵文字表示周囲電極３７と対向電極１７との間の電位差と、その凸部６１と対向電極１７との間の電位差とが異なり、凸部６１における表示がその周囲の表示と異なってしまうからである。
一方、凸部６１が絵文字表示電極３３ａまたは絵文字表示周囲電極３７よりも下側、すなわち絵文字表示電極３３ａまたは絵文字表示周囲電極３７と第１の基板１との間に設けられている場合には、上述したような凸部６１における表示がその周囲の表示と異なってしまうことがない。したがって、ダミーゲート電極４１４、ダミーソース電極４１８およびダミードレイン電極４１９は相互に、あるいは絵文字表示電極３３ａまたは絵文字表示周囲電極３７と短絡していてもよいし、絶縁していてもよい。
なお、凸部６１は、必ずしもダミーゲート電極４１４、絶縁膜、半導体層４１６、不純物ドープ半導体層、ダミーソース電極４１８およびダミードレイン電極４１９をすべて備えている必要はなく、その一部だけで構成されていてもよい。
また、絵文字スイッチング素子４１１も、第１のスイッチング素子１１と同じ構成である。すなわち、第１の基板１上にクロムモリブデン膜からなるゲート電極４０４が形成され、ゲート電極４０４上に窒化シリコン膜からなるゲート絶縁膜（図示省略）が形成され、ゲート絶縁膜上にアモルファスシリコン（ａ−Ｓｉ）膜からなる半導体層４０６が形成され、不純物ドープ半導体層（図示省略）を介してクロム膜からなるソース電極４０８およびドレイン電極４０９が形成されている。
絵文字スイッチング素子４１１のゲート電極４０４に連なるゲート配線電極４０１は、たとえばゲート駆動用集積回路４１（第１図参照）に保護素子を介して接続される。つまり、絵文字スイッチング素子４１１は、ゲート駆動用集積回路４１により駆動される。ゲート配線電極４０１は、第２の配線電極３および他の絵文字表示配線電極４０ｂ、４０ｃ（図面の簡略化のため図示せず）と短絡しないように、これらの配線電極３、４０ｂ、４０ｃと異なる配線層に設けられているか、あるいは導通孔を介してこれらの配線電極３、４０ｂ、４０ｃを跨いで形成されている。
絵文字スイッチング素子４１１のソース電極４０８は、絵文字表示配線電極４０ａに連なっている。また、絵文字スイッチング素子４１１のドレイン電極４０９は、絵文字表示用導通孔３４を介して絵文字表示電極３３ａに電気的に接続している。
上述した構成の凸部６１および絵文字スイッチング素子４１１は、動画表示領域３０の第１のスイッチング素子１１と同時に作製される。すなわち、第１のスイッチング素子１１のゲート電極４と同時に、ゲート配線電極４０１およびこれに連なる絵文字スイッチング素子４１１のゲート電極４０４と、凸部６１のダミーゲート電極４１４が形成される。第１のスイッチング素子１１のゲート絶縁膜５と同時に、絵文字スイッチング素子４１１のゲート絶縁膜と、凸部６１の絶縁膜が形成される。第１のスイッチング素子１１の半導体層６と同時に、絵文字スイッチング素子４１１および凸部６１の半導体層４０６、４１６が形成される。第１のスイッチング素子１１の不純物ドープ半導体層７と同時に、絵文字スイッチング素子４１１および凸部６１の不純物ドープ半導体層が形成される。第１のスイッチング素子１１のソース電極８と同時に、絵文字表示配線電極４０ａおよびこれに連なる絵文字スイッチング素子４１１のソース電極４０８と、凸部６１のダミーソース電極４１８が形成される。第１のスイッチング素子１１のドレイン電極９と同時に、絵文字スイッチング素子４１１のドレイン電極４０９と、凸部６１のダミードレイン電極４１９が形成される。
以上の説明から明らかなように、絵文字表示領域に、動画表示領域の第１のスイッチング素子を模したダミースイッチング素子（凸部）を、動画表示領域における第１のスイッチング素子の分布と同じような分布で配置することで、液晶層の厚さが、動画表示領域と絵文字表示領域とで均一になるので、均一な表示品質が得られる。
（第１２の実施形態）
以下に、本発明の第１２の実施形態における液晶表示パネルについて、図面を参照しながら説明する。第２８図は、本実施形態における絵文字表示電極３３ａの付近の平面拡大図である。なお、説明の便宜上、楕円形の絵文字表示電極３３ａについて説明するが、他の絵文字についても同様である。
第１２の実施形態の特徴は、動画表示領域３０および絵文字表示領域３６にブラックマトリックス５０１を設けた点と、このブラックマトリックス５０１の、絵文字周囲ギャップ３８と重なる部分を切り欠き部５０２とした点である。第２８図に示すように、ブラックマトリックス５０１は、動画表示領域３０のマトリックス状に配列された各画素を囲む格子状のパターンに形成されている。
絵文字表示領域３６の絵文字表示電極３３ａよりなる画素部は、動画表示領域３０の各画素部３１とは異なる形状をしており、また動画表示領域３０の各画素部３１よりも大きい。そのため、絵文字表示領域３６におけるブラックマトリックス５０１を、動画表示領域３０におけるブラックマトリックス５０１と全く同じパターンにすると、絵文字表示領域３６では、絵文字表示電極３３ａと絵文字表示周囲電極３７との間の絵文字周囲ギャップ３８とブラックマトリックス５０１とが交差することになる。したがって、第２の基板１５側から見たときに、絵文字周囲ギャップ３８からブラックマトリックス５０１が見えてしまい、表示品質の点で好ましくない。
そこで、本実施形態では、ブラックマトリックス５０１の、絵文字周囲ギャップ３８と重なる部分を切り欠くことで、第２の基板１５側から見たときに、絵文字周囲ギャップ３８からブラックマトリックス５０１が見えるのを防いでいる。特に限定しないが、本実施形態では、動画表示領域３０におけるブラックマトリックス５０１のパターンと、絵文字表示領域３６におけるブラックマトリックス５０１のパターンとは、絵文字表示領域３６におけるブラックマトリックス５０１のパターンに切り欠き部５０２が設けられている点を除いて、全く同じである。
第２８図に示すように、絵文字表示配線電極４０（第２８図では図面を簡略化するために、絵文字表示配線電極４０ａのみを示す）は、動画表示領域３０と絵文字表示領域３６との境界部分のブラックマトリックス５０１の下側に配置されている。したがって、外部からこれらの配線電極が見えることはない。また、絵文字表示配線電極４０ａは、絵文字表示用導通孔３４を介して絵文字表示電極３３ａに電気的に接続されている。絵文字表示用導通孔３４もブラックマトリックス５０１の下側に設けられている。
以上の説明から明らかなように、動画表示領域と絵文字表示領域にほぼ同じパターンのブラックマトリックスを設けたことで、動画表示領域の明るさと絵文字表示領域の明るさが同じになるので、高い表示品質が得られる。また、絵文字周囲ギャップと重なる部分のブラックマトリックスを切り欠いたことで、このギャップからブラックマトリックスが見えなくなるので、高い表示品質が得られる。
なお、本実施形態では、動画表示領域と絵文字表示領域とでブラックマトリックスのパターンはほぼ同じであるとしたが、これに限らず、動画表示領域と絵文字表示領域とでブラックマトリックスのパターンが異なっていてもよい。たとえば、絵文字表示領域のブラックマトリックスが絵文字表示電極の形状に沿ったパターンであってもよい。一例として、絵文字表示電極が星形である場合、星形の頂点におけるブラックマトリックスは、四角形ではなく、三角形のパターンであるとよい。その方が、所望の絵文字を再現性よく表示することができる。
（第１３の実施形態）
以下に、本発明の第１３の実施形態における液晶表示パネルについて、図面を参照しながら説明する。第２９図は、本実施形態における絵文字表示電極３３ａの付近の平面拡大図である。なお、説明の便宜上、楕円形の絵文字表示電極３３ａについて説明するが、他の絵文字についても同様である。
第１３の実施形態の特徴は、上述した第１２の実施形態において、ブラックマトリックス５０１に、動画表示領域３０の第１のスイッチング素子１１と、そのスイッチング素子１１のソース電極８に連なる、表示電極用導通孔１３が配置された幅の広いパッド部分とを覆う幅の広い部分（以下、幅広ブラックマトリックス部とする）５１１を設けた点と、絵文字表示領域３６において絵文字表示用導通孔３４を幅広ブラックマトリックス部５１１に配置した点である。
動画表示領域３０と絵文字表示領域３６にほぼ同じパターンのブラックマトリックス５０１を設けた点と、このブラックマトリックス５０１の、絵文字周囲ギャップ３８と重なる部分を切り欠き部５０２とした点は、第１２の実施形態と同じである。
本実施形態では、特に限定しないが、絵文字表示配線電極４０（第２９図では図面を簡略化するために、絵文字表示配線電極４０ａのみを示す）の幅は、幅広ブラックマトリックス部５１１の下側で広くなっている。また、絵文字表示配線電極４０は、絵文字表示領域３６におけるブラックマトリックス５０１の下側に配置されている。
以上の説明から明らかなように、動画表示領域の明るさと絵文字表示領域の明るさが同じになり、また絵文字周囲ギャップからブラックマトリックスが見えないので、高い表示品質が得られる。さらに、絵文字表示配線電極の幅の広い部分に表示電極用導通孔を配置することで、表示電極用導通孔の径を大きくすることができるので、コンタクト抵抗が小さくなる。
また、ここでは図示しないが、さらに、幅広ブラックマトリックス部５１１に複数の表示電極用導通孔１３または複数の絵文字電極用導通孔３４を設けることにより、一箇所の導通孔の導通確保が不十分な場合においても、他の導通孔により導通が可能となり、表示不良を防止することができる。
（第１４の実施形態）
以下に、本発明の第１４の実施形態における液晶表示パネルについて、図面を参照しながら説明する。第３０図は、本実施形態における絵文字表示電極３３ａの付近の平面拡大図である。なお、説明の便宜上、楕円形の絵文字表示電極３３ａについて説明するが、他の絵文字についても同様である。
第１４の実施形態の特徴は、絵文字表示領域３６を、動画表示領域３０と同様に、マトリックス状に配列された複数の個別表示電極で構成した点と、個別表示電極同士を連結部により電気的に接続した点である。絵文字表示電極３３ａは、たとえば６片の個別表示電極６０１、６０２、６０３、６０４、６０５、６０６に分割されている。これら６片の個別表示電極６０１、６０２、６０３、６０４、６０５、６０６は連結部６０７、６０８により連結されている。そして、絵文字表示配線電極４０ａは、絵文字表示用導通孔３４を介して個別表示電極６０２に電気的に接続されている。第３０図では、他の絵文字表示配線電極４０ｂ、４０ｃは省略されている。
また、絵文字表示周囲電極３７は、たとえば６片の個別表示電極６１１、６１２、６１３、６１４、６１５、６１６に分割されている。特に限定しないが、第３０図に示すように、絵文字表示周囲電極３７の各個別表示電極６１１、６１２、６１３、６１４、６１５、６１６は、それぞれ絵文字表示電極３３ａの各個別表示電極６０１、６０２、６０３、６０４、６０５、６０６との組み合わせによって、動画表示領域３０の表示電極１２と同様の矩形状をなしている。
また、第３０図に示す例では、絵文字表示周囲電極３７の３つの個別表示電極６１１、６１２、６１３は連結部６１７により連結されている。絵文字表示周囲電極３７の残りの３つの個別表示電極６１４、６１５、６１６は別の連結部６１８により連結されている。そして、一方の個別表示電極６１１、６１２、６１３の組と、他方の個別表示電極６１４、６１５、６１６の組とは、別々に保護素子を介してソース駆動用集積回路４２（第１図参照）に接続されている。つまり、絵文字表示周囲電極３７の二組の個別表示電極は、ソース駆動用集積回路４２により別々に駆動される。
以上の説明から明らかなように、絵文字表示周囲電極を二組の個別表示電極に分けたことで、面積が大きい絵文字表示周囲電極を小さい面積の電極として駆動することができるので、液晶による容量負荷が小さくなる。また、絵文字表示電極の個別表示電極を連結部を介して連結したことで、絵文字表示電極の面積が小さくなるので、液晶による容量負荷が小さくなる。したがって、絵文字表示電極および絵文字表示周囲電極を駆動する回路の負荷が小さくなるので、表示品質が向上する。
（第１５の実施形態）
以下に、本発明の第１５の実施形態における液晶表示パネルについて、図面を参照しながら説明する。第３１図は、本実施形態における絵文字表示電極３３ａの付近の平面拡大図である。なお、説明の便宜上、楕円形の絵文字表示電極３３ａについて説明するが、他の絵文字についても同様である。
第１５の実施形態の特徴は、絵文字表示領域３６を、動画表示領域３０と同様に、マトリックス状に配列された複数の個別表示電極で構成した点と、個々の個別表示電極を単独で、または複数の個別表示電極同士を連結部により電気的に接続して、駆動する構成とした点である。
特に限定しないが、たとえば絵文字表示電極３３ａを構成するたとえば６片の個別表示電極６０１、６０２、６０３、６０４、６０５、６０６のうち、３片の個別表示電極６０１、６０２、６０３（以下、第１の個別表示電極群とする）は連結部６０７により連結されている。第１の個別表示電極群の個別表示電極６０３には、絵文字表示配線電極４０ａが絵文字表示用導通孔３４を介して電気的に接続されている。また、絵文字表示電極３３ａの残りの３片の個別表示電極６０４、６０５、６０６（以下、第２の個別表示電極群とする）は別の連結部６０７により連結されている。第２の個別表示電極群の個別表示電極６０４には、別の絵文字表示配線電極４０ａが絵文字表示用導通孔３４を介して電気的に接続されている。つまり、絵文字表示電極３３ａを構成する第１の個別表示電極群と第２の個別表示電極群は、ソース駆動用集積回路４２（第１図参照）により別々に駆動される。なお、連結部６０７を設けずに、絵文字表示電極３３ａの各個別表示電極６０１、６０２、６０３、６０４、６０５、６０６を個別に駆動する構成としてもよい。
また、絵文字表示周囲電極３７は、たとえば６片の個別表示電極６１１、６１２、６１３、６１４、６１５、６１６に分割されている。絵文字表示周囲電極３７の各個別表示電極６１１、６１２、６１３、６１４、６１５、６１６は、それぞれ導通孔３５を介して個別の配線電極４０ｄに接続されている。各配線電極４０ｄは保護素子を介してソース駆動用集積回路４２（第１図参照）に接続されている。つまり、絵文字表示周囲電極３７の各個別表示電極６１１、６１２、６１３、６１４、６１５、６１６は、ソース駆動用集積回路４２により別々に駆動される。なお、絵文字表示周囲電極３７の各個別表示電極６１１、６１２、６１３、６１４、６１５、６１６を複数個ずつ連結して駆動する構成としてもよい。
特に限定しないが、第３１図に示すように、絵文字表示周囲電極３７の各個別表示電極６１１、６１２、６１３、６１４、６１５、６１６は、それぞれ絵文字表示電極３３ａの各個別表示電極６０１、６０２、６０３、６０４、６０５、６０６との組み合わせによって、動画表示領域３０の表示電極１２と同様の矩形状をなしている。なお、第３１図では、他の絵文字表示配線電極４０ｂ、４０ｃ、および絵文字表示周囲電極３７の、他の絵文字表示電極３３ｂ、３３ｃの周囲に配置される個別表示電極とソース駆動用集積回路４２（第１図参照）とを電気的に接続する配線電極は省略されている。
以上の説明から明らかなように、絵文字表示周囲電極を複数の個別表示電極に分けたことで、面積が大きい絵文字表示周囲電極を小さい面積の電極として駆動することができるので、液晶による容量負荷が小さくなる。また、絵文字表示電極を複数に分割したことで、絵文字表示電極を小さい面積の電極として駆動することができるので、液晶による容量負荷が小さくなる。したがって、絵文字表示電極および絵文字表示周囲電極を駆動する回路の負荷が小さくなるので、表示品質が向上する。
第２６図は、上記本発明の各実施形態にかかる液晶表示パネルを用いて構成した、たとえばＰＤＡのような携帯機器３００を示す。この機器のディスプレイ３１０は上述した動画表示領域３０と絵文字表示領域３６を有する本発明の液晶表示パネルで構成されている。機器本体には、たとえば電源ボタン３２０、第１、第２の操作ボタン３３０，３４０が設けられている。絵文字表示領域３６の各絵文字３５０ａ、３５０ｂ、３５０ｃは上記絵文字表示電極で構成され、たとえば絵文字３５０ａは音のオフ状態を示し、絵文字３５０ｂは電源のオン状態を示し、絵文字３５０ｃはコントラストを示す。動画表示領域３０と絵文字表示領域３６間には、仕切り線５１が設けられ、絵文字表示領域３６を明示している。
上記本発明の各実施形態では、スイッチング素子を設ける場合に、動画表示用画素（画素部の液晶容量）、あるいは、絵文字表示画素（絵文字画素の液晶容量）と並列に接続する負荷容量を設けていない実施形態を示したが、負荷容量を設ける構成においても、本発明は有効である。
また、上記本発明の各実施形態では、ソース側保護素子を絵文字用保護素子に隣接して設ける構成を示しているが、勿論、ゲート側保護素子に絵文字用保護素子を隣接して設ける構成であっても本発明は有効である。
さらに、上記本発明の各実施形態では、保護素子として薄膜トランジスタＴＦＴをリング接続する構成を説明したが、ＰＮ接合、ＰＩＮ接合ダイオードをリング接続する方法等も有効である。
さらに、上記本発明の各実施形態では、表示領域外スイッチング素子には電荷保持用コンデンサを接続していないが、表示を長時間保持する、あるいは、階調状況を精度よく保持する場合には、電荷保持用コンデンサを絵文字表示画素部の液晶と並列に接続するとよい。特に、表示を１分程度保持するのであれば、電荷保持用コンデンサの充放電によって消費される電力をなくすために、電荷保持用コンデンサを設けない方が良好である。
以上の説明から明らかなように、本発明によれば、絵文字表示領域の外周部に保護素子を設けることにより、液晶の劣化、または、絵文字表示配線電極と絵文字表示周囲電極の静電破壊を防止することが可能となる。
さらに、動画表示領域と絵文字表示領域の境界部に仕切り線を設けることで、絵文字表示領域の表示領域を明示することが可能となる。さらに、仕切り線を液晶表示パネルの構成部材で形成することで、工程に負荷をかけることなく仕切り線を形成することが可能となる。
また、仕切り線を遮光性部材により形成することにより、絵文字表示配線電極の目隠し効果がある。そのため、絵文字の表示品質を向上できる。
また、絵文字表示領域の周囲に表示領域外スイッチング素子を設け、絵文字表示画素と外部回路とを表示領域外スイッチング素子により低抵抗接続、高抵抗接続を制御することにより、絵文字表示画素の極性反転駆動の周波数を小さくし、低消費電力駆動を可能とする。そのため、特に携帯機器には有効な手法となる。
また、絵文字表示領域にダミースイッチング素子として凸部を配置することによって、液晶層の厚さが、動画表示領域と絵文字表示領域とで均一になるので、均一な表示品質が得られる。
また、動画表示領域と絵文字表示領域に同じパターンのブラックマトリックスがあることによって、動画表示領域の明るさと絵文字表示領域の明るさが同じになる。また、絵文字表示電極と絵文字表示周囲電極との間のギャップにおいてブラックマトリックスが切り欠かれていることによって、ギャップからブラックマトリックスが見えない。したがって、高い表示品質が得られる。
また、絵文字表示領域の画素部を、連結部を介して互いに電気的に接続された複数の個別表示電極により固定絵文字状に構成することによって、絵文字表示領域の画素部の面積が小さくなり、液晶による容量負荷が小さくなる。それによって、絵文字表示領域の画素部を駆動する駆動回路の負荷が小さくなるので、表示品質が向上する。
また、絵文字表示領域の画素部を、複数の個別表示電極により固定絵文字状に構成し、個々の個別表示電極を個々の絵文字表示配線電極を介して個別に駆動回路に接続した構成とすることによって、絵文字表示領域の画素部の面積がより一層小さくなり、液晶による容量負荷がさらに小さくなる。したがって、絵文字表示領域の画素部を駆動する駆動回路の負荷がより小さくなるので、表示品質がさらに向上する。
産業上の利用可能性
以上のように本発明は、静電気による画素の破壊に強く、動画表示領域と絵文字表示領域の両者で高い表示品質を有し、また低消費電力駆動であっても絵文字表示領域の表示品質が低下することのない、新規な液晶表示パネルを提供することに適している。
【図面の簡単な説明】
第１図は、本発明の第１の実施形態における液晶表示パネルを示す平面図であり、第２図は、本発明の第１の実施形態における液晶表示パネルを示す平面模式図であり、第３図は、本発明の第１の実施形態における液晶表示パネルの一部を拡大して示す平面図であり、第４図は、本発明の第１の実施形態における液晶表示パネルを示す断面図であり、第５図は、本発明の第１の実施形態における液晶表示パネルの保護素子周辺を示す平面図であり、第６図は、本発明の第１の実施形態における液晶表示パネルの保護素子周辺を示す等価回路図であり、第７図は、本発明の第１の実施形態における保護素子の電圧電流特性を示すグラフであり、第８図は、本発明の第２の実施形態における液晶表示パネルを示す平面模式図であり、第９図は、本発明の第２の実施形態における液晶表示パネルの一部を拡大して示す平面図であり、第１０図は、本発明の第２の実施形態における液晶表示パネルを示す断面図であり、第１１図は、本発明の第３の実施形態における液晶表示パネルの一部を拡大して示す平面図であり、第１２図は、本発明の第３の実施形態における液晶表示パネルを示す断面図であり、第１３図は、本発明の第４の実施形態における液晶表示パネルを示す平面模式図であり、第１４図は、本発明の第４の実施形態における液晶表示パネルの保護素子周辺を示す平面図であり、第１５図は、本発明の第５の実施形態における液晶表示パネルを示す平面模式図であり、第１６図は、本発明の第５の実施形態における液晶表示パネルの保護素子周辺を示す平面図であり、第１７図は、本発明の第６の実施形態における液晶表示パネルの保護素子周辺を示す平面図であり、第１８図は、本発明の第６の実施形態における液晶表示パネルの保護素子周辺を示す等価回路図であり、第１９図は、本発明の第７の実施形態における液晶表示パネルの一部を拡大して示す平面図であり、第２０図は、本発明の第７の実施形態における液晶表示パネルを示す断面図であり、第２１図は、本発明の第８の実施形態における液晶表示パネルを示す平面模式図であり、第２２図は、本発明の第８の実施形態における液晶表示パネルを示す断面図であり、第２３図は、本発明の第９の実施形態における液晶表示パネルを示す平面模式図であり、第２４図は、本発明の第９の実施形態における液晶表示パネルの一部を拡大して示す平面図であり、第２５図は、本発明の第１０の実施形態における液晶表示パネルを示す平面模式図であり、第２６図は、本発明の液晶表示パネルを使用して構成した携帯機器の斜視図であり、第２７図は、本発明の第１１の実施形態における液晶表示パネルの一部を拡大して示す平面図であり、第２８図は、本発明の第１２の実施形態における液晶表示パネルの一部を拡大して示す平面図であり、第２９図は、本発明の第１３の実施形態における液晶表示パネルの一部を拡大して示す平面図であり、第３０図は、本発明の第１４の実施形態における液晶表示パネルの一部を拡大して示す平面図であり、第３１図は、本発明の第１５の実施形態における液晶表示パネルの一部を拡大して示す平面図である。
【図１】
2003087924.tif 000003
【図２】
2003087924.tif 000004
【図３】
2003087924.tif 000005
【図４】
2003087924.tif 000006
【図５】
2003087924.tif 000007
【図６】
2003087924.tif 000008
【図７】
2003087924.tif 000009
【図８】
2003087924.tif 000010
【図９】
2003087924.tif 000011
【図１０】
2003087924.tif 000012
【図１１】
2003087924.tif 000013
【図１２】
2003087924.tif 000014
【図１３】
2003087924.tif 000015
【図１４】
2003087924.tif 000016
【図１５】
2003087924.tif 000017
【図１６】
2003087924.tif 000018
【図１７】
2003087924.tif 000019
【図１８】
2003087924.tif 000020
【図１９】
2003087924.tif 000021
【図２０】
2003087924.tif 000022
【図２１】
2003087924.tif 000023
【図２２】
2003087924.tif 000024
【図２３】
2003087924.tif 000025
【図２４】
2003087924.tif 000026
【図２５】
2003087924.tif 000027
【図２６】
2003087924.tif 000028
【図２７】
2003087924.tif 000029
【図２８】
2003087924.tif 000030
【図２９】
2003087924.tif 000031
【図３０】
2003087924.tif 000032
【図３１】
2003087924.tif 000033
【国際調査報告】
2003087924.tif 000034
2003087924.tif 000035
2003087924.tif 000036
2003087924.tif 000037
2003087924.tif 000038
2003087924.tif 000039
2003087924.tif 000040
2003087924.tif 000041